(57)【特許請求の範囲】
【請求項１】
マルチキャリアシステムにおいてタイミング整合を可能にする方法であって、
複数のダウンリンクキャリアに関連する異なるダウンリンクタイミングを判断することと、
第１のアップリンクキャリアおよび第２のアップリンクキャリアを含むキャリアのアップリンクグループに関連するアップリンクタイミングを確認することと、なお前記アップリンクタイミングは、前記ダウンリンクタイミングの少なくとも１つのダウンリンクタイミングおよびキャリアの前記アップリンクグループに関連するタイミングオフセットの処理に基づいて確認され、
前記タイミングオフセットに基づいて調整された前記アップリンクタイミングで前記第１のアップリンクキャリアで、および、前記調整されたアップリンクタイミングで前記第２のアップリンクキャリア上で送信することと
を備える、方法。
【請求項２】
少なくとも１つのランダムアクセスキャリア上でランダムアクセス手順を実行することをさらに備え、前記少なくとも１つのランダムアクセスキャリアが、前記少なくとも１つのダウンリンクキャリアを含むキャリアのダウンリンクグループ中に含まれる、請求項１に記載の方法。
【請求項３】
前記実行することが、単一のキャリア上で前記ランダムアクセス手順を実行することを備える、請求項２に記載の方法。
【請求項４】
前記単一のキャリアが、前記ランダムアクセス手順を前記実行することより前にネットワークによって与えられる割当てキャリアである、請求項３に記載の方法。
【請求項５】
専用無線リソース構成の一部として前記単一のキャリアを受信することをさらに備える、請求項４に記載の方法。
【請求項６】
前記単一のキャリアの使用に関連する基準を受信することをさらに備え、前記基準が、前記単一のキャリアの割当てとともに受信される、請求項４に記載の方法。
【請求項７】
前記基準が、前記単一のキャリアに関連する最小信号品質しきい値である、請求項６に記載の方法。
【請求項８】
前記実行することは、前記基準が前記単一のキャリアによって満たされないことに応答して代替キャリア上で前記ランダムアクセス手順を実行することを備え、前記受信することが、前記ネットワークから前記代替キャリアの指示を受信することをさらに備える、請求項６に記載の方法。
【請求項９】
前記実行することは、前記基準が前記単一のキャリアによって満たされないことに応答して代替キャリア上で前記ランダムアクセス手順を実行することを備え、前記代替キャリアがワイヤレス端末によって独立して選択される、請求項６に記載の方法。
【請求項１０】
前記単一のキャリアを選択することをさらに備え、前記単一のキャリアがワイヤレス端末によって独立して選択される、請求項３に記載の方法。
【請求項１１】
前記選択することが、キャリアの前記ダウンリンクグループ中の利用可能なキャリアのセットに判断関数を適用することを備える、請求項１０に記載の方法。
【請求項１２】
前記判断関数が擬似ランダム関数である、請求項１１に記載の方法。
【請求項１３】
前記判断関数がハッシュ関数である、請求項１１に記載の方法。
【請求項１４】
前記ワイヤレス端末に関連する識別子を前記ハッシュ関数に入力することをさらに備える、請求項１３に記載の方法。
【請求項１５】
ネットワークノードに関連する識別子を前記ハッシュ関数に入力することをさらに備え、キャリアの前記ダウンリンクグループが前記ネットワークノードによって制御される、請求項１３に記載の方法。
【請求項１６】
時間変化値を前記ハッシュ関数に入力することをさらに備える、請求項１３に記載の方法。
【請求項１７】
前記ワイヤレス端末内から取られる時間測定値を介して前記時間変化値を判断することをさらに備える、請求項１６に記載の方法。
【請求項１８】
前記時間変化値が使用されるたびに、算術演算によって前記時間変化値を変更することをさらに備える、請求項１６に記載の方法。
【請求項１９】
前記選択することは、キャリアの前記ダウンリンクグループのいずれかの上で前記ワイヤレス端末に無線リソースが割り当てられたときに実行される、請求項１０に記載の方法。
【請求項２０】
前記選択することが、前記ランダムアクセス手順のトリガに応答して実行される、請求項１０に記載の方法。
【請求項２１】
マルチキャリアシステムにおいてタイミング整合を可能にするように構成された装置であって、
メモリに記憶されたコンピュータ実行可能構成要素を実行するように構成されたプロセッサを備え、前記構成要素が、
複数のダウンリンクキャリアに関連する異なるダウンリンクタイミングを判断するように構成されたダウンリンクタイミング構成要素と、
第１のアップリンクキャリアおよび第２のアップリンクキャリアを含むキャリアのアップリンクグループに関連するアップリンクタイミングを確認するように構成されたアップリンクタイミング構成要素であって、前記アップリンクタイミングが、前記ダウンリンクタイミングの少なくとも１つのダウンリンクタイミングと、キャリアの前記アップリンクグループに関連するタイミングオフセットとに基づいて確認される、アップリンクタイミング構成要素と、
前記タイミングオフセットに基づいて調整された前記アップリンクタイミングで前記第１のアップリンクキャリア上で、および、前記調整されたアップリンクタイミングで前記第２のアップリンクキャリア上で送信するように構成された通信構成要素と
を含む、装置。
【請求項２２】
前記アップリンクタイミング構成要素が、キャリアの複数のアップリンクグループごとに異なるタイミングオフセットを利用することによって前記アップリンクタイミングを判断するように構成された、請求項２１に記載の装置。
【請求項２３】
前記アップリンクタイミング構成要素が、キャリアの複数のアップリンクグループごとに異なるダウンリンクタイミングを利用することによって前記アップリンクタイミングを判断するように構成された、請求項２１に記載の装置。
【請求項２４】
前記少なくとも１つのダウンリンクキャリアが、複数のダウンリンクグループのうちの１つ中に含まれ、前記アップリンクタイミング構成要素が、キャリアの前記アップリンクグループを前記複数のダウンリンクグループのうちの前記１つに関連付けることによって前記アップリンクタイミングを判断するように構成された、請求項２１に記載の装置。
【請求項２５】
前記アップリンクタイミング構成要素が、割り当てられたキャリアを含むダウンリンクグループのサブセットを識別することによって複数のアップリンクグループにそれぞれ関連する複数のアップリンクタイミングを判断するように構成され、前記複数のアップリンクグループが、前記割り当てられたキャリアを含むダウンリンクグループの前記サブセットにそれぞれ関連する、請求項２４に記載の装置。
【請求項２６】
キャリアの前記アップリンクグループのアップリンクグループサブセットにそれぞれ対応するアップリンクタイミング命令のセットで符号化された受信タイミングメッセージを処理するように構成されたメッセージ処理構成要素をさらに備える、請求項２４に記載の装置。
【請求項２７】
前記受信タイミングメッセージがタイミングアドバンスコマンドである、請求項２６に記載の装置。
【請求項２８】
前記受信タイミングメッセージが、前記アップリンクグループサブセットに関連するタイミング調整値で符号化されたベクトルを備える、請求項２６に記載の装置。
【請求項２９】
前記アップリンクグループサブセット内の各アップリンクグループが、割り当てられた無線リソースをもつ少なくとも１つのキャリアを含む、請求項２６に記載の装置。
【請求項３０】
キャリアの前記アップリンクグループがアップリンクグループのセットを備え、アップリンクグループの前記セット内の各アップリンクグループが、割り当てられた無線リソースをもつ少なくとも１つのキャリアを含み、前記アップリンクグループサブセットがアップリンクグループの前記セットのサブセットである、請求項２６に記載の装置。
【請求項３１】
前記アップリンクグループサブセットがネットワークエンティティによって判断される、請求項３０に記載の装置。
【請求項３２】
前記メッセージ処理構成要素が、前記アップリンクグループサブセットを与えるように前記ネットワークエンティティに要求する要求をサブミットするように構成され、前記アップリンクグループサブセットが、前記要求に応答して前記ネットワークエンティティによって判断される、請求項３１に記載の装置。
【請求項３３】
前記受信タイミングメッセージが、キャリアの前記アップリンクグループのうち、前記アップリンクグループサブセット中に含まれるキャリアの指示を含む、請求項３０に記載の装置。
【請求項３４】
前記メッセージ処理構成要素が、ネットワークと共有されるグループ識別情報のマッピングに従って前記指示を復号するように構成された、請求項３３に記載の装置。
【請求項３５】
グループ識別情報の前記マッピングが、前記アップリンクグループサブセットのうちの少なくとも１つのアップリンクグループ内のアップリンクキャリア上の専用無線リソースの割当てに関連して構成された、請求項３４に記載の装置。
【請求項３６】
メッセンジャーダウンリンクグループ中に含まれるタイミングメッセージキャリアを介して受信されたタイミングメッセージを復号するように構成されたメッセージ処理構成要素をさらに備え、前記タイミングメッセージが、ターゲットダウンリンクグループに対応する少なくとも１つのグループ間アップリンクタイミングで符号化され、前記ターゲットダウンリンクグループが前記メッセンジャーダウンリンクグループとは異なる、請求項２４に記載の装置。
【請求項３７】
前記タイミングメッセージが、前記ターゲットダウンリンクグループの指示を含む、請求項３６に記載の装置。
【請求項３８】
前記メッセージ処理構成要素が、ネットワークと共有されるグループ識別情報のマッピングに従って前記指示を復号するように構成された、請求項３７に記載の装置。
【請求項３９】
グループ識別情報の前記マッピングが、前記ターゲットダウンリンクグループ中に含まれるダウンリンクキャリア上の専用無線リソースの割当てに関連して構成された、請求項３８に記載の装置。
【請求項４０】
前記少なくとも１つのダウンリンクキャリアを含む特定のダウンリンクグループ内のダウンリンクキャリアのセットにそれぞれ対応する複数のダウンリンクタイミングから平均ダウンリンクタイミングを計算するように構成された平均化構成要素をさらに備え、前記アップリンクタイミング構成要素が、前記タイミングオフセットを前記平均ダウンリンクタイミングに適用することによって前記アップリンクタイミングを判断するように構成された、請求項２１に記載の装置。
【請求項４１】
前記特定のダウンリンクグループが、割り当てられた無線リソースに関連する少なくとも１つのキャリアを備える、請求項４０に記載の装置。
【請求項４２】
前記特定のダウンリンクグループが、ネットワークによって識別されるキャリアのセットを備える、請求項４０に記載の装置。
【請求項４３】
コンピュータ可読記憶媒体であって、
少なくとも１つのコンピュータに、
複数のダウンリンクキャリアに関連する異なるダウンリンクタイミングを判断することと、
第１のアップリンクキャリアおよび第２のアップリンクキャリアを含むキャリアのアップリンクグループに関連するアップリンクタイミングを確認することと、なお前記アップリンクタイミングは、前記ダウンリンクタイミングの少なくとも１つのダウンリンクタイミングと、キャリアの前記アップリンクグループに関連するタイミングオフセットとに基づいて確認され、
前記タイミングオフセットに基づいて調整された前記アップリンクタイミングで前記第１のアップリンクキャリア上で、および、前記調整されたアップリンクタイミングで前記第２のアップリンクキャリア上で送信することと
を行わせるためのコードを備えるコンピュータ可読記憶媒体。
【請求項４４】
前記コードが、前記少なくとも１つのコンピュータに、
キャリアの前記アップリンクグループを複数のダウンリンクグループのうちの１つに関連付けさせ、
前記複数のダウンリンクグループのダウンリンクグループサブセットにそれぞれ対応するアップリンクタイミング命令のセットで符号化されたタイミングメッセージを受信させる、
請求項４３に記載のコンピュータ可読記憶媒体。
【請求項４５】
前記コードが、前記少なくとも１つのコンピュータに、メッセンジャーダウンリンクグループ中に含まれるタイミングメッセージキャリアを介して受信されたタイミングメッセージを復号させ、前記タイミングメッセージが前記メッセンジャーダウンリンクグループとは異なるターゲットダウンリンクグループに対応する少なくとも１つのグループ間アップリンクタイミングで符号化される、請求項４３に記載のコンピュータ可読記憶媒体。
【請求項４６】
前記コードが、前記少なくとも１つのコンピュータに、前記少なくとも１つのダウンリンクキャリアを含む特定のダウンリンクグループ内のダウンリンクキャリアのセットにそれぞれ対応する複数のダウンリンクタイミングから平均ダウンリンクタイミングを計算させ、前記タイミングオフセットを前記平均ダウンリンクタイミングに適用することによって前記アップリンクタイミングを判断させる、請求項４３に記載のコンピュータ可読記憶媒体。
【請求項４７】
前記コードが、前記少なくとも１つのコンピュータに、少なくとも１つのランダムアクセスキャリア上でランダムアクセス手順を実行させ、前記少なくとも１つのランダムアクセスキャリアが、前記少なくとも１つのダウンリンクキャリアを含むキャリアのダウンリンクグループ中に含まれる、請求項４３に記載のコンピュータ可読記憶媒体。
【請求項４８】
マルチキャリアシステムにおいてタイミング整合を可能にするように構成された装置であって、
複数のダウンリンクキャリアに関連する異なるダウンリンクタイミングを判断するための手段と、
第１のアップリンクキャリアおよび第２のアップリンクキャリアを含むキャリアのアップリンクグループに関連するアップリンクタイミングを確認するための手段と、なお、前記アップリンクタイミングは、前記ダウンリンクタイミングの少なくとも１つのダウンリンクタイミングおよびキャリアの前記アップリンクグループに関連するタイミングオフセットに基づいて確認され、
前記タイミングオフセットに基づいて調整された前記アップリンクタイミングで前記第１のアップリンクキャリア上で、および、前記調整されたアップリンクタイミングで前記第２のアップリンクキャリア上で送信するための手段と
を備える、装置。
【請求項４９】
確認するための前記手段が、キャリアの複数のアップリンクグループごとに異なるタイミングオフセットを利用するように構成された、請求項４８に記載の装置。
【請求項５０】
確認するための前記手段が、キャリアの複数のアップリンクグループごとに異なるダウンリンクタイミングを利用するように構成された、請求項４８に記載の装置。
【請求項５１】
前記少なくとも１つのダウンリンクキャリアが、複数のダウンリンクグループのうちの１つ中に含まれ、確認するための前記手段が、キャリアの前記アップリンクグループを前記複数のダウンリンクグループのうちの前記１つに関連付けるように構成された、請求項４８に記載の装置。
【請求項５２】
少なくとも１つのランダムアクセスキャリア上でランダムアクセス手順を実行するための手段をさらに備え、前記少なくとも１つのランダムアクセスキャリアが、前記少なくとも１つのダウンリンクキャリアを含むキャリアのダウンリンクグループ中に含まれる、請求項４８に記載の装置。
【請求項５３】
マルチキャリアシステムにおいてタイミング整合を可能にする方法であって、
異なるダウンリンクタイミングで、複数のダウンリンクキャリアを介してワイヤレス端末にダウンリンク通信を送信することと、
第１のアップリンクキャリアおよび第２のアップリンクキャリアを含むキャリアのアップリンクグループにタイミングオフセットを割り当てることと、
前記複数のダウンリンクキャリアのうちの１つを介して前記ワイヤレス端末に前記タイミングオフセットを与えることと、
前記タイミングオフセットに基づいて調整されたアップリンクタイミングで前記第１のアップリンクキャリアを介して第１のアップリンク通信を、前記調整されたアップリンクタイミングで前記第２のアップリンクキャリアを介して第２のアップリンク通信を受信することと
を備える、方法。
【請求項５４】
前記割り当てることが、複数のアップリンクグループの各々に異なるタイミングオフセットを割り当てることを備える、請求項５３に記載の方法。
【請求項５５】
前記複数のアップリンクグループのアップリンクグループサブセットにそれぞれ対応するアップリンクタイミング命令のセットで符号化されたタイミングメッセージを生成することをさらに備え、前記送信することが、前記ワイヤレス端末に前記タイミングメッセージを送信することを備える、請求項５４に記載の方法。
【請求項５６】
前記タイミングメッセージがタイミングアドバンスコマンドである、請求項５５に記載の方法。
【請求項５７】
前記タイミングメッセージが、前記アップリンクグループサブセットに関連するタイミング調整値で符号化されたベクトルを備える、請求項５５に記載の方法。
【請求項５８】
前記アップリンクグループサブセット内の各アップリンクグループが、前記ワイヤレス端末に割り当てられた無線リソースをもつ少なくとも１つのキャリアを含む、請求項５５に記載の方法。
【請求項５９】
前記複数のアップリンクグループが、アップリンクグループの前記セット内の各アップリンクグループが前記ワイヤレス端末に割り当てられる無線リソースをもつ少なくとも１つのキャリアを含む、アップリンクグループのセットを備え、前記アップリンクグループサブセットがアップリンクグループの前記セットのサブセットである、請求項５５に記載の方法。
【請求項６０】
前記アップリンクグループサブセットを判断することをさらに備える、請求項５９に記載の方法。
【請求項６１】
前記アップリンクグループサブセットを与えるために前記ワイヤレス端末から要求を受信することをさらに備え、前記判断することが、前記要求に応答して実行される、請求項６０に記載の方法。
【請求項６２】
前記タイミングメッセージが、前記複数のアップリンクグループのうち、前記アップリンクグループサブセット中に含まれるアップリンクグループの指示で符号化される、請求項５９に記載の方法。
【請求項６３】
前記指示が、前記ワイヤレス端末と共有されるグループ識別情報のマッピングに従って符号化される、請求項６２に記載の方法。
【請求項６４】
グループ識別情報の前記マッピングが、前記アップリンクグループサブセットのうちの少なくとも１つのアップリンクグループ内のアップリンクキャリア上の専用無線リソースの割当てに関連して構成された、請求項６３に記載の方法。
【請求項６５】
ターゲットダウンリンクグループに対応する少なくとも１つのグループ間アップリンクタイミングで符号化されたタイミングメッセージを生成することをさらに備え、前記送信することが、メッセンジャーダウンリンクグループ中に含まれるタイミングメッセージキャリアを介して前記ワイヤレス端末に前記タイミングメッセージを送信することを備え、前記ターゲットダウンリンクグループが前記メッセンジャーダウンリンクグループとは異なる、請求項５４に記載の方法。
【請求項６６】
前記タイミングメッセージが、前記ターゲットダウンリンクグループの指示で符号化される、請求項６５に記載の方法。
【請求項６７】
前記指示が、前記ワイヤレス端末と共有されるグループ識別情報のマッピングに従って符号化される、請求項６６に記載の方法。
【請求項６８】
グループ識別情報の前記マッピングが、前記ターゲットダウンリンクグループ中に含まれるダウンリンクキャリア上の専用無線リソースの割当てに関連して構成された、請求項６７に記載の方法。
【請求項６９】
マルチキャリアシステムにおいてタイミング整合を可能にするように構成された装置であって、
メモリに記憶されたコンピュータ実行可能構成要素を実行するように構成されたプロセッサを備え、前記構成要素が、
第１のアップリンクキャリアおよび第２のアップリンクキャリアを含むキャリアのアップリンクグループにタイミングオフセットを割り当てるように構成されたタイミングオフセット構成要素と、
異なるダウンリンクタイミングで、複数のダウンリンクキャリアのうちの１つを介してワイヤレス端末に前記タイミングオフセットを与えるように構成された送信構成要素と、
前記タイミングオフセットに基づいて調整されたアップリンクタイミングで前記第１のアップリンクキャリアを介して第１のアップリンク通信を、前記調整されたアップリンクタイミングで前記第２のアップリンクキャリアを介して第２のアップリンクキャリア通信を受信するように構成された受信構成要素と
を含む、装置。
【請求項７０】
前記送信構成要素が、共通サイトに位置するアンテナからキャリアのダウンリンクグループを送信するように構成された、請求項６９に記載の装置。
【請求項７１】
前記送信構成要素が、前記ワイヤレス端末によって実行される複数のダウンリンクタイミングの平均化を可能にするために、前記複数のダウンリンクタイミングにそれぞれ対応するキャリアのセットを識別するように構成された、請求項６９に記載の装置。
【請求項７２】
ランダムアクセス手順を可能にするためにランダムアクセスキャリアを識別するように構成されたランダムアクセス構成要素をさらに備え、前記ランダムアクセスキャリアが、前記ワイヤレス端末に割り当てられるキャリアである、請求項６９に記載の装置。
【請求項７３】
前記送信構成要素が、専用無線リソース構成の一部として前記ランダムアクセスキャリアを送信するように構成された、請求項７２に記載の装置。
【請求項７４】
前記ランダムアクセス構成要素が、前記ランダムアクセスキャリアの使用に関連する基準を確認するように構成され、前記基準は、前記ランダムアクセスキャリアの割当てとともに前記ワイヤレス端末に与えられる、請求項７２に記載の装置。
【請求項７５】
前記基準が、前記ランダムアクセスキャリアに関連する最小信号品質しきい値である、請求項７４に記載の装置。
【請求項７６】
前記ランダムアクセス構成要素は、前記基準が前記ランダムアクセスキャリアによって満たされていないことに応答して代替キャリア上で前記ワイヤレス端末によって前記ランダムアクセス手順を実行することを可能にするために、前記代替キャリアを識別するように構成された、請求項７４に記載の装置。
【請求項７７】
コンピュータプログラム可読記憶媒体であって、
少なくとも１つのコンピュータに、
ワイヤレス端末に複数のダウンリンクキャリアを介してダウンリンク通信を送信することと、
第１のアップリンクキャリアおよび第２のアップリンクキャリアを含むキャリアのアップリンクグループにタイミングオフセットを割り当てることと、
前記複数のダウンリンクキャリアのうちの１つを介して前記ワイヤレス端末に前記タイミングオフセットを与えることと、
前記タイミングオフセットに基づいて調整されたアップリンクタイミングで前記第１のアップリンクキャリアを介して第１のアップリンク通信を、前記調整されたアップリンクタイミングで前記第２のアップリンクキャリアを介して第２のアップリンクキャリア通信を受信することと
を行わせるためのコードを備えるコンピュータ可読記憶媒体。
【請求項７８】
前記コードが、前記少なくとも１つのコンピュータに、共通サイトに位置するアンテナからキャリアのダウンリンクグループを送信させる、請求項７７に記載のコンピュータ可読記憶媒体。
【請求項７９】
前記コードが、前記少なくとも１つのコンピュータに、異なるタイミングオフセットを複数のアップリンクグループの各々に割り当てさせる、請求項７７に記載のコンピュータ可読記憶媒体。
【請求項８０】
前記コードが、前記少なくとも１つのコンピュータに、前記複数のアップリンクグループのアップリンクグループサブセットにそれぞれ対応するアップリンクタイミング命令のセットで符号化されたタイミングメッセージを生成させ、前記ワイヤレス端末に前記タイミングメッセージを送信させる、請求項７９に記載のコンピュータ可読記憶媒体。
【請求項８１】
前記コードが、前記少なくとも１つのコンピュータに、前記ワイヤレス端末によって実行される複数のダウンリンクタイミングの平均化を可能にするために、前記複数のダウンリンクタイミングにそれぞれ対応するキャリアのセットを識別させる、請求項７７に記載のコンピュータ可読記憶媒体。
【請求項８２】
前記コードが、前記少なくとも１つのコンピュータに、ランダムアクセス手順を可能にするためにランダムアクセスキャリアを識別させ、前記ランダムアクセスキャリアが、前記ワイヤレス端末に割り当てられるキャリアである、請求項７７に記載のコンピュータ可読記憶媒体。
【請求項８３】
マルチキャリアシステムにおいてタイミング整合を可能にするように構成された装置であって、
ワイヤレス端末に、異なるダウンリンクタイミングで複数のダウンリンクキャリアを介してダウンリンク通信を送信するための手段と、
第１のアップリンクキャリアおよび第２のアップリンクキャリアを含むキャリアのアップリンクグループにタイミングオフセットを割り当てるための手段と、
前記複数のダウンリンクキャリアのうちの１つを介して前記ワイヤレス端末に前記タイミングオフセットを与えるための手段と、
前記タイミングオフセットに基づいて調整されたアップリンクタイミングで前記第１のアップリンクキャリアを介して第１のアップリンク通信を、前記調整されたアップリンクタイミングで前記第２のアップリンクキャリアを介して第２のアップリンク通信を受信するための手段と
を備える、装置。
【請求項８４】
送信するための前記手段が、共通サイトに位置するアンテナからキャリアのダウンリンクグループを送信するように構成された、請求項８３に記載の装置。
【請求項８５】
割り当てるための前記手段が、複数のアップリンクグループの各々に異なるタイミングオフセットを割り当てるように構成された、請求項８３に記載の装置。
【請求項８６】
ターゲットダウンリンクグループに対応する少なくとも１つのグループ間アップリンクタイミングで符号化されたタイミングメッセージを生成するための手段をさらに備え、送信するための前記手段は、メッセンジャーダウンリンクグループ中に含まれるタイミングメッセージキャリアを介して前記ワイヤレス端末に前記タイミングメッセージを送信するように構成され、前記ターゲットダウンリンクグループが前記メッセンジャーダウンリンクグループとは異なる、請求項８５に記載の装置。
【請求項８７】
送信するための前記手段が、前記ワイヤレス端末によって実行される複数のダウンリンクタイミングの平均化を可能にするために、前記複数のダウンリンクタイミングにそれぞれ対応するキャリアのセットを識別するように構成された、請求項８３に記載の装置。
【請求項８８】
送信するための前記手段が、ランダムアクセス手順を可能にするためにランダムアクセスキャリアを識別するように構成され、前記ランダムアクセスキャリアが、前記ワイヤレス端末に割り当てられるキャリアである、請求項８３に記載の装置。
【発明の詳細な説明】
【技術分野】
【０００１】
関連出願の相互参照
本出願は、２００９年６月１９日に出願された「ＴＩＭＩＮＧ  ＡＬＩＧＮＭＥＮＴ  ＩＮ  Ａ  ＭＵＬＴＩＣＡＲＲＩＥＲ  ＳＹＳＴＥＭ」と題する米国仮特許出願第６１／２１８，７６９号、２０１０年１月１１日に出願された「ＴＩＭＩＮＧ  ＡＬＩＧＮＭＥＮＴ  ＩＮ  Ａ  ＭＵＬＴＩＣＡＲＲＩＥＲ  ＳＹＳＴＥＭ」と題する米国仮特許出願６１／２９４，０５３号、および２０１０年２月１６日に出願された「ＴＩＭＩＮＧ  ＡＬＩＧＮＭＥＮＴ  ＩＮ  Ａ  ＭＵＬＴＩＣＡＲＲＩＥＲ  ＳＹＳＴＥＭ」と題する米国仮特許出願６１／３０５，０１４号の利益を主張する。上述の出願は、それらの全体が参照により本明細書に組み込まれる。
【背景技術】
【０００２】
I.分野
以下の説明は、一般にワイヤレス通信に関し、より詳細には、マルチキャリアＬｏｎｇ  Ｔｅｒｍ  Ｅｖｏｌｕｔｉｏｎ−Ａｄｖａｎｃｅｄ（ＬＴＥ−Ａ）システムにおいてユーザ機器のためのタイミング同期を維持することを可能にする方法および装置に関する。
【０００３】
II.背景
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は逆方向リンク。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
ＭＩＭＯシステムは時分割複信（ＴＤＤ;time division duplex）および周波数分割複信（ＦＤＤ;frequency division duplex）システムをサポートする。ＴＤＤシステムでは、順方向および逆方向リンク伝送が同一周波数領域上で行われるので、相反定理(reciprocity principle)による逆方向リンクチャネルからの順方向リンクチャネルの推定が可能である。これにより、アクセスポイントは、アクセスポイントにおいて複数のアンテナが利用可能であるとき、順方向リンク上で送信ビームフォーミング利得を取り出すことが可能になる。
【０００７】
シングルキャリア環境中にタイミング同期に関して、ユーザ機器（ＵＥ）のためのそのようなタイミング同期の維持は、時々更新される必要がある、アップリンク／ダウンリンクオフセットをネットワークからＵＥに受信させ、受信されたダウンリンクタイミングに対してそのアップリンク送信をどのように整合しなければならないかを示すことを含むことに留意されたい。ただし、マルチキャリア環境では、同期はより複雑である。単一のＵＥをサービスするすべてのキャリアが同じセルサイトから送信されると仮定すると、共通オフセットが適切であるように思われる。しかしながら、共同設置されたキャリアであっても、（たとえば、ケーブル遅延、基地局サイトとリモートラジオヘッドとの間の距離など）いくつかの理由で、ある程度のタイミングの変動を経験することがあり、それにより、キャリアごとに別個のタイミングオフセット(timing offset)が有益に、さらには必要になろう。
【０００８】
現在のワイヤレス通信システムの上記で説明した欠陥は、従来のシステムの一部の問題の概観を与えるものにすぎず、網羅的なものではない。従来のシステムの他の問題、および本明細書で説明する様々な非限定的な実施形態の対応する利益は、以下の説明を検討するとさらに明らかになり得る。
【発明の概要】
【０００９】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【００１０】
１つまたは複数の実施形態およびその対応する開示に従って、ＬＴＥ−Ａシステムにおいてユーザ機器のためのタイミング同期を維持することに関して、様々な態様について説明する。一態様では、マルチキャリアシステムにおいてタイミング整合(timing alignment)を可能にする方法およびコンピュータプログラム製品が開示される。これらの実施形態は、少なくとも１つのダウンリンクキャリアに関連する少なくとも１つのダウンリンクタイミングを判断することと、キャリアのアップリンクグループに関連するアップリンクタイミングを確認することとを含む。これらの実施形態の場合、アップリンクタイミングは、少なくとも１つのダウンリンクタイミングと、キャリアのアップリンクグループに関連するタイミングオフセットとの処理に基づいて確認される。次いで、キャリアのアップリンクグループの各々が、アップリンクタイミングのしきい値内で送信される。
【００１１】
別の態様では、マルチキャリアシステムにおけるタイミング整合を可能にするように構成された装置が開示される。そのような実施形態内では、本装置は、メモリに記憶されたコンピュータ実行可能構成要素を実行するように構成されたプロセッサを含む。コンピュータ実行可能構成要素は、ダウンリンクタイミング構成要素と、アップリンクタイミング構成要素と、通信構成要素とを含む。ダウンリンクタイミング構成要素は、少なくとも１つのダウンリンクキャリアに関連する少なくとも１つのダウンリンクタイミングを判断するように構成されるが、アップリンクタイミング構成要素は、キャリアのアップリンクグループに関連するアップリンクタイミングを確認するように構成される。この実施形態の場合、アップリンクタイミングは、少なくとも１つのダウンリンクタイミングと、キャリアのアップリンクグループに関連するタイミングオフセットとに基づいて確認される。次いで、通信構成要素は、アップリンクタイミングのしきい値内でキャリアのアップリンクグループの各々を送信するように構成される。
【００１２】
さらなる態様では、別の装置が開示される。そのような実施形態内では、装置は、判断するための手段と、確認するための手段と、送信するための手段とを含む。この実施形態の場合、判断するための手段は、少なくとも１つのダウンリンクキャリアに関連する少なくとも１つのダウンリンクタイミングを判断するが、確認するための手段は、キャリアのアップリンクグループに関連するアップリンクタイミングを確認する。この実施形態の場合、アップリンクタイミングは、少なくとも１つのダウンリンクタイミングと、キャリアのアップリンクグループに関連するタイミングオフセットとに基づいて確認される。次いで、送信するための手段が、アップリンクタイミングのしきい値内でキャリアのアップリンクグループの各々を送信する。他の実施形態では、本装置は、少なくとも１つのランダムアクセスキャリア(random access carrier)上でランダムアクセス手順を実行するための手段をさらに含む。この実施形態の場合、少なくとも１つのランダムアクセスキャリアは、少なくとも１つのダウンリンクキャリアを含むキャリアのダウンリンクグループ中に含まれる。
【００１３】
別の態様では、マルチキャリアシステムにおいてタイミング整合を可能にするための他の方法およびコンピュータプログラム製品が開示される。これらの実施形態の場合、少なくとも１つのダウンリンクキャリアを介してワイヤレス端末にダウンリンク通信を送信する行為を含む様々な行為が行われる。これらの実施形態はさらに、キャリアのアップリンクグループにタイミングオフセットを割り当てることと、少なくとも１つのダウンリンクキャリアを介してワイヤレス端末にタイミングオフセットを与えることとを含む。アップリンク通信は、次いで、タイミングオフセットに従ってキャリアのアップリンクグループを介して受信される。
【００１４】
マルチキャリアシステムにおいてタイミング整合を可能にするための別の装置も開示される。そのような実施形態内では、本装置は、メモリに記憶されたコンピュータ実行可能構成要素を実行するように構成されたプロセッサを含む。コンピュータ実行可能構成要素は、タイミングオフセット構成要素と、送信構成要素と、受信構成要素とを含む。タイミングオフセット構成要素は、キャリアのアップリンクグループにタイミングオフセットを割り当てるように構成されるが、送信構成要素は、少なくとも１つのダウンリンクキャリアを介してワイヤレス端末に前記タイミングオフセットを与えるように構成される。受信構成要素は、次いで、タイミングオフセットに従ってキャリアのアップリンクグループを介してアップリンク通信を受信するように構成される。
【００１５】
さらなる態様では、別の装置が開示される。そのような実施形態内では、本装置は、送信するための手段と、割り当てるための手段と、与えるための手段と、受信するための手段とを含む。この実施形態の場合、送信するための手段は、ワイヤレス端末に少なくとも１つのダウンリンクキャリアを送信する。次いで、割り当てるための手段は、キャリアのアップリンクグループにタイミングオフセットを割り当てるが、与えるための手段は、少なくとも１つのダウンリンクキャリアを介してワイヤレス端末にタイミングオフセットを与える。受信するための手段は、次いで、タイミングオフセットに従ってキャリアのアップリンクグループを介してアップリンク通信を受信する。別の実施形態では、本装置は、タイミングメッセージを生成するための手段をさらに含む。この実施形態の場合、タイミングメッセージは、ワイヤレス端末に与えられるアップリンクタイミング命令のセットを含む。
【００１６】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００１７】
【図１】本明細書に記載の様々な態様によるワイヤレス通信システムの図。
【図２】本明細書で説明する様々なシステムおよび方法とともに採用され得る例示的なワイヤレスネットワーク環境の図。
【図３】一実施形態による、２つのタイミンググループが単一のｅノードＢに関連する例示的なシステムの図。
【図４】例示的なあいまいなアップリンクタイミングの図。
【図５】一実施形態による、アップリンクタイミングの例示的な平均化の図。
【図６】本明細書の一態様による、マルチキャリアシステムにおけるタイミング整合を可能にする例示的なワイヤレス端末のブロック図。
【図７】マルチキャリアシステムにおけるタイミング整合を実現する電気構成要素の例示的な結合の図。
【図８】本明細書の一態様による、マルチキャリアシステムにおけるタイミング整合を可能にするための例示的な方法を示すフローチャート。
【図９】本明細書の一態様による、マルチキャリアシステムにおけるタイミング整合を可能にする例示的な基地局のブロック図。
【図１０】マルチキャリアシステムにおけるタイミング整合を実現する電気構成要素の例示的な結合の図。
【図１１】本明細書の一態様による、マルチキャリアシステムにおけるタイミング整合を可能にするための例示的な方法を示すフローチャート。
【図１２】複数のセルを含む様々な態様に従って実装される例示的な通信システムの図。
【図１３】本明細書で説明する様々な態様による例示的な基地局の図。
【図１４】本明細書で説明する様々な態様に従って実装される例示的なワイヤレス端末の図。
【発明を実施するための形態】
【００１８】
次に、図面を参照しながら様々な実施形態について説明する。図面全体にわたって、同様の要素を指すのに同様の参照番号を使用する。以下の記述では、説明の目的で、１つまたは複数の実施形態の完全な理解を与えるために多数の具体的な詳細を記載する。ただし、そのような（１つまたは複数の）実施形態はこれらの具体的な詳細なしに実施され得ることは明らかであろう。他の例では、１つまたは複数の実施形態の説明を円滑にするために、よく知られている構造およびデバイスをブロック図の形態で示す。
【００１９】
本明細書は、タイミングが異なり得る複数のキャリアをもつシステムにおいてユーザ機器のためのタイミング整合を可能にすることを対象とする。キャリアが（許容差内で）同様のタイミング情報をもつ「タイミンググループ」にグループ化される例示的な実施形態が開示され、タイミング同期のためのシグナリングビヘイビアが、キャリアごとではなくグループごとに行われる。
【００２０】
この目的で、本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケットアクセス（ＨＳＰＡ）、および他のシステムなど、様々なワイヤレス通信システムに対して使用され得ることに留意されたい。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。
【００２１】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その固有のシングルキャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡにおいてアップリンク多元接続方式として実装され得る。
【００２２】
高速パケットアクセス（ＨＳＰＡ）は、高速ダウンリンクパケットアクセス（ＨＳＤＰＡ）技術と高速アップリンクパケットアクセス（ＨＳＵＰＡ）または拡張アップリンク（ＥＵＬ）技術とを含むことができ、ＨＳＰＡ＋技術をも含むことができる。ＨＳＤＰＡ、ＨＳＵＰＡおよびＨＳＰＡ＋は、それぞれ、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）規格のリリース５、リリース６、およびリリース７の一部である。
【００２３】
高速ダウンリンクパケットアクセス（ＨＳＤＰＡ）は、ネットワークからユーザ機器（ＵＥ）へのデータ送信を最適化する。本明細書で使用する、ネットワークからユーザ機器ＵＥへの送信は「ダウンリンク」（ＤＬ）と呼ばれることがある。送信方法は、数Ｍｂｉｔ／ｓのデータレートを可能にすることができる。高速ダウンリンクパケットアクセス（ＨＳＤＰＡ）は、モバイル無線ネットワークの容量を増大させることができる。高速アップリンクパケットアクセス（ＨＳＵＰＡ）は、端末からネットワークへのデータ送信を最適化することができる。本明細書で使用する、端末からネットワークへの送信は「アップリンク」（ＵＬ）と呼ばれることがある。アップリンクデータ送信方法は、数Ｍｂｉｔ／ｓのデータレートを可能にすることができる。ＨＳＰＡ＋は、３ＧＰＰ規格のリリース７において規定されているようにアップリンクとダウンリンクの両方においてなお一層の改善を可能にする。高速パケットアクセス（ＨＳＰＡ）方法は、一般に、たとえば、ボイスオーバＩＰ（ＶｏＩＰ）、ビデオ会議およびモバイルオフィスアプリケーションの大容量のデータを送信するデータサービスにおいて、ダウンリンクとアップリンクとの間のより高速な対話を可能にする。
【００２４】
ハイブリッド自動再送要求（ＨＡＲＱ）などの高速データ送信プロトコルは、アップリンクとダウンリンクとの上で使用され得る。ハイブリッド自動再送要求（ＨＡＲＱ）などのそのようなプロトコルは、受信者が、間違って受信された可能性があるパケットの再送信を自動的に要求できるようにする。
【００２５】
様々な実施形態について、アクセス端末に関して本明細書で説明する。アクセス端末は、システム、加入者ユニット、加入者局、移動局、モバイル、リモート局、リモート端末、モバイルデバイス、ユーザ端末、端末、ワイヤレス通信デバイス、ユーザエージェント、ユーザデバイス、またはユーザ機器（ＵＥ）とも呼ばれることがある。アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、様々な実施形態について、基地局に関して本明細書で説明する。基地局は、（１つまたは複数の）アクセス端末と通信するために利用され得、アクセスポイント、ノードＢ、進化型ノードＢ（ｅノードＢ）、アクセスポイント基地局、または何らかの他の用語で呼ばれることもある。
【００２６】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナが利用され得る。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００２７】
基地局１０２は、アクセス端末１１６およびアクセス端末１２２などの１つまたは複数のアクセス端末と通信することができるが、基地局１０２は、アクセス端末１１６および１２２と同様の実質的に任意の数のアクセス端末と通信することができることを諒解されたい。アクセス端末１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスであり得る。図示のように、アクセス端末１１６はアンテナ１１２および１１４と通信しており、アンテナ１１２および１１４は、順方向リンク１１８を介してアクセス端末１１６に情報を送信し、逆方向リンク１２０を介してアクセス端末１１６から情報を受信する。その上、アクセス端末１２２はアンテナ１０４および１０６と通信しており、アンテナ１０４および１０６は、順方向リンク１２４を介してアクセス端末１２２に情報を送信し、逆方向リンク１２６を介してアクセス端末１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００２８】
アンテナの各グループおよび／またはそれらが通信するように指定されたエリアは、基地局１０２のセクタと呼ばれることがある。たとえば、基地局１０２によってカバーされるエリアのセクタ中のアクセス端末に通信するようにアンテナグループを設計することができる。順方向リンク１１８および１２４を介した通信では、基地局１０２の送信アンテナは、アクセス端末１１６および１２２の順方向リンク１１８および１２４の信号対雑音比を改善するためにビームフォーミングを利用することができる。また、基地局１０２は、ビームフォーミングを利用して、関連するカバレージにわたってランダムに散在するアクセス端末１１６および１２２に送信するが、基地局が単一のアンテナを介してその基地局のすべてのアクセス端末に送信する場合と比較して、隣接セル中のアクセス端末は干渉を受けにくい。
【００２９】
図２に、例示的なワイヤレス通信システム２００を示す。ワイヤレス通信システム２００には、簡潔のために、１つの基地局２１０と、１つのアクセス端末２５０とを示してある。ただし、システム２００は２つ以上の基地局および／または２つ以上のアクセス端末を含むことができ、追加の基地局および／またはアクセス端末は、以下で説明する例示的な基地局２１０およびアクセス端末２５０と実質的に同様または異なるものであり得ることを諒解されたい。さらに、基地局２１０および／またはアクセス端末２５０は、それらの間のワイヤレス通信を可能にするために、本明細書で説明するシステムおよび／または方法を採用することができることを諒解されたい。
【００３０】
基地局２１０において、いくつかのデータストリームのトラフィックデータがデータソース２１２から送信（ＴＸ）データプロセッサ２１４に供給される。一例によれば、各データストリームはそれぞれのアンテナを介して送信され得る。ＴＸデータプロセッサ２１４は、トラフィックデータストリーム用に選択された特定の符号化方式に基づいて、そのデータストリームをフォーマット化し、符号化し、インターリーブして、符号化データを供給する。
【００３１】
各データストリームの符号化データは、直交周波数分割多重（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにアクセス端末２５０において使用され得る。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ２３０によって実行または与えられる命令によって判断され得る。
【００３２】
データストリームの変調シンボルはＴＸ  ＭＩＭＯプロセッサ２２０に供給され、ＴＸ  ＭＩＭＯプロセッサ２２０は、（たとえば、ＯＦＤＭ用に）変調シンボルをさらに処理することができる。次いで、ＴＸ  ＭＩＭＯプロセッサ２２０は、ＮT個の変調シンボルストリームをＮT個の送信機（ＴＭＴＲ）２２２ａ〜２２２ｔに供給する。様々な実施形態では、ＴＸ  ＭＩＭＯプロセッサ２２０は、データストリームのシンボルと、シンボルの送信元のアンテナとにビームフォーミング重みを適用する。
【００３３】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機２２２ａ〜２２２ｔからのＮT個の変調信号は、それぞれ、ＮT個のアンテナ２２４ａ〜２２４ｔから送信される。
【００３４】
アクセス端末２５０では、送信された変調信号はＮR個のアンテナ２５２ａ〜２５２ｒによって受信され、各アンテナ２５２から受信された信号は、それぞれの受信機（ＲＣＶＲ）２５４ａ〜２５４ｒに供給される。各受信機２５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【００３５】
ＲＸデータプロセッサ２６０は、特定の受信機処理技法に基づいてＮR個の受信機２５４からＮR個の受信シンボルストリームを受信し、処理して、ＮT個の「検出」シンボルストリームを与えることができる。ＲＸデータプロセッサ２６０は、各検出シンボルストリームを復調し、デインタリーブし、復号して、データストリームのトラフィックデータを復元することができる。ＲＸデータプロセッサ２６０による処理は、基地局２１０においてＴＸ  ＭＩＭＯプロセッサ２２０およびＴＸデータプロセッサ２１４によって実行される処理を補足するものである。
【００３６】
プロセッサ２７０は、上述のように、どの利用可能な技術を利用すべきかを周期的に判断することができる。さらに、プロセッサ２７０は、行列インデックス部分とランク値部分とを備える逆方向リンクメッセージを作成することができる。
【００３７】
逆方向リンクメッセージは、通信リンクおよび／または受信データストリームに関する様々なタイプの情報を備えることができる。逆方向リンクメッセージは、データソース２３６から複数のデータストリームのトラフィックデータをも受信するＴＸデータプロセッサ２３８によって処理され、変調器２８０によって変調され、送信機２５４ａ〜２５４ｒによって調整され、基地局２１０に返信され得る。
【００３８】
基地局２１０において、アクセス端末２５０からの変調信号は、アンテナ２２４によって受信され、受信機２２２によって調整され、復調器２４０によって復調され、ＲＸデータプロセッサ２４２によって処理されて、アクセス端末２５０によって送信された逆方向リンクメッセージが抽出される。さらに、プロセッサ２３０は、抽出されたメッセージを処理して、ビームフォーミング重みを判断するためにどのプリコーディング行列を使用すべきかを判断することができる。
【００３９】
プロセッサ２３０および２７０は、それぞれ基地局２１０およびアクセス端末２５０における動作を指示（たとえば、制御、調整、管理など）することができる。それぞれのプロセッサ２３０および２７０は、プログラムコードおよびデータを記憶するメモリ２３２および２７２に関連付けられ得る。プロセッサ２３０および２７０はまた、それぞれ、アップリンクとダウンリンクとに関して周波数推定値とインパルス応答推定値とを導き出すために計算を実行することができる。
【００４０】
一般的なフレームワークとして、本明細書で開示する態様は、以下で、若干の許容差内まで同じであるアップリンクタイミングをもつキャリアのグループを指す、少なくとも１つの「タイミンググループ」にＵＥを割り当てることを対象とする。許容差に応じて、タイミンググループは、共通制御サイトを共有する（ただし、依然としてタイミングがわずかに異なり得る）キャリアか、またはアンテナが連結されたキャリアのみを含み得る。したがって、いくつかの実施形態の場合、ダウンリンクは同期しているが、（たとえば、同期ネットワーク中の異なるセルサイトからの）所与のＵＥのアップリンクタイミングが著しく異なる、異なるキャリアは、通常、同じタイミンググループに属さないことになる。
【００４１】
一態様では、ＵＥに複数のタイミンググループからのキャリアが割り当てられ得ることが企図される。原則として、十分な受信機能および復号機能をもつＵＥは、独立したタイミングをもつキャリアのいくつかのセットをリッスンすることができる。そのような状況は、たとえば、ＵＥが異なるセルサイトからのキャリアに割り当てられた場合に起こり得る。しかしながら、（ソフトハンドオーバのない）現在のＬＴＥ設計、およびそのようなシステムを設計しようと試みるときに生じる複雑さにより、複数サイト割当ては可能性が低いと思われる。
【００４２】
たとえそうでも、タイミンググループを定義する許容差が適切である場合、ＵＥに、同じセルサイトから発信した複数のタイミンググループからのキャリアが割り当てられ得ることが可能である。たとえば、図３において、例示的なシステムは、２つのタイミンググループが単一のｅノードＢからどのように発信し得るかを示す。図示のように、システム３００は、主基地局サイト３１０に属するリモートラジオヘッド３２０を含み、リモートラジオヘッド３２０からのキャリアはタイミンググループ３２２に関連し、主基地局サイト３１０からのキャリアはタイミンググループ３１２に関連する。したがって、ワイヤレス端末３３０は、単一のｅノードＢから異なるタイミングを有するキャリアを受信し、タイミング差許容差内のキャリアが互いにグループ化される。そのような場合、ワイヤレス端末３３０はタイミンググループ３１２とタイミンググループ３２２の両方のキャリアに割り当てられ得るので、ワイヤレス端末３３０はグループごとに別々にタイミングを維持することが企図される。いくつかの実施形態の場合、これは、グループごとに別々のタイミングアドバンス手順か、またはタイミング維持がすべてのグループに対して並行して行われることを可能にする拡張シグナリングを必要とし得る。
【００４３】
一態様では、ランダムアクセス手順を実行するためのキャリアを選択することを対象とする実施形態も企図される。実際、各タイミンググループ内で、ＵＥは、（たとえば、タイミンググループごとに別々の手順を通してタイミングが維持される場合）それのタイミングを更新するためにランダムアクセスを時々実行し得る。ここで、この更新は、各タイミンググループの１つのキャリアを用いて実行されるだけでよいが、これがどのキャリアであるのかをＵＥがどのように判断すべきかという問題が生じる。一態様では、ＵＥは、（すなわち、それのタイミング制御に使用すべきタイミンググループから単一のキャリアを選択するために）不要なタイミング更新を実行することを回避するように構成される。
【００４４】
原則として、タイミンググループ中の任意のキャリア上でランダムアクセスを実行することが機能しなければならないことに留意されたい。しかしながら、ランダムアクセスチャネル上での競合を最小限に抑えるために、多数のＵＥがそれらのランダムアクセス試行を特定のキャリアに集中する状況を回避することが望ましい。この目的で、システムはＵＥベースまたはネットワークベースのソリューションのいずれかを採用することができることが企図される。
【００４５】
例示的なネットワークベースのソリューションでは、ＵＥは、特定のタイミンググループ中のキャリアに割り当てられ、ネットワークは、そのグループ中のどのキャリアをランダムアクセスのために使用すべきかに関する命令をＵＥに与える。そのような実施形態内では、この命令は、絶対（たとえば、「このキャリアを常に使用する」）であるか、またはＵＥにおける状態に基づいて緩和されることがあり得る（たとえば、「そのキャリア上の無線状態がしきい値によって示される状態よりも悪くなければ、このキャリアを優先的に使用する」）。
【００４６】
例示的なＵＥベースの手法では、各ＵＥは、自律的にタイミング更新のためにランダムアクセスのための単一のキャリアを選択する。ここで、例示的なネットワークベースのソリューションと同様に、キャリアの判断は、絶対であるか、または変更されることがある。特定の一実施形態では、キャリア選択は、ＵＥをタイミンググループにわたってほぼ一様に分散する傾向がある関数に基づく。たとえば、ハッシュ関数が利用され得、ｎ個のキャリアのタイミンググループに関連するＵＥが、ｎ個の可能な値をもつハッシュ関数に何らかの入力を与え、関数の出力は、ＵＥがランダムアクセスのために使用する（ことを選好する）ことになるグループのキャリアのインデックスである。ここで、たとえば、入力としてのＵＥ識別子、ならびにｅノードＢ識別子などの他の値を使用することを含む、適切なハッシュ関数の多数のオプションがあることに留意されたい。入力は静的であるか、または時間変化し得ることにさらに留意されたい。（ＵＥおよび／またはサービングｅノードＢの特性に応じて）入力が静的である場合、ＵＥは、特定のグループへのそれの割当て全体にわたってランダムアクセスのために同じキャリアを使用する傾向があり得るが、（たとえば、時間測定値、カウンタなどから導出された入力値を使用することによって）入力が時間とともに変化する場合、ＵＥは、利用可能なキャリアを「循環する」傾向があり得る。いくつかの実施形態の場合、（たとえば、特定のサイトが、ＵＥの識別情報がハッシュ関数から同じ出力を生じる多数のＵＥをサービスしているとき）集中における同時発生的「スパイク」は時間とともにそれら自体を修正する傾向があるので、後者の手法が好ましいことがある。
【００４７】
他のＵＥベースの配信機構も企図される。たとえば、固定ハッシュ関数の代わりに、ＵＥは、キャリアを選定するために擬似ランダム関数を使用することができる。そのような場合、判断は、（所与のＵＥが一貫してタイミングのために同じキャリアを使用するように）キャリア割当てのときに、または（各ＵＥが利用可能なキャリアにわたってそれの要求を分散させる傾向があるように）タイミング更新についての各要求時にのみ行われ得る。
【００４８】
次に、タイミング整合グラニュラリティに関係する問題について説明する。この目的で、タイミンググループ内のすべてのキャリアがダウンリンクタイミングとアップリンクタイミングの両方において正確に整合された場合、何が所与のＵＥのための「正しい」タイミング整合であるべきかについてあいまいさがないことに留意されたい。しかしながら、（たとえば、ケーブル遅延による）キャリア送信タイミング間の差が小さい場合、同じタイミングオフセットをもつキャリアは、それにもかかわらず、異なる絶対タイミングを有し得る。
【００４９】
そのようなあいまいなアップリンクタイミングを示す例示的なタイミング図が図４に与えられている。図示のように、キャリア４１０はダウンリンク４１２およびアップリンク４１４に関連し、キャリア４２０はダウンリンク４２２およびアップリンク４２４に関連する。ここで、そのような環境中のＵＥは、キャリア４１０またはキャリア４２０のいずれかからそれのタイミング情報を受信することができることに留意されたい。一態様では、キャリア４１０とキャリア４２０のタイミングは異なり得るが、タイミンググループに対する展開が必要とする許容差よりも小さい。したがって、ＵＥがどのキャリアからそれの最後の更新を受信したかに応じて、キャリア４１０およびキャリア４２０に接続されたＵＥは、正しいアップリンクタイミングがアップリンク４１４またはアップリンク４２４のいずれかにあると見なすことができる、ということになる。
【００５０】
特定の一実施形態では、ＵＥは、それがタイミングオフセットを受信したキャリアにタイミングオフセットを適用し、グループ中の他のキャリアのタイミングが「十分に近接している」と仮定する。図４に関して、これは、システムが、アップリンクタイミング精度の目的でアップリンク４１４とアップリンク４２４とが同じであると見なすことを意味することになる。
【００５１】
しかしながら、代替として、ＵＥは、オフセットを送信したキャリアからの受信ダウンリンクタイミングにではなく、タイミンググループ中のキャリアの平均タイミングに、タイミングオフセットを適用することができる。そのような場合、ＵＥは、特定のキャリアからそれのタイミング情報を受信したが、単一のダウンリンク／アップリンクオフセットが受信されたとき、ＵＥが、各キャリアにオフセットを別々に適用し、グループ中のすべてのキャリアとともに使用するための「適切な」アップリンクタイミングを与えるために結果の平均を取ることができるように、ＵＥは、グループ中の各キャリアの（ダウンリンク）タイミングを別々に追跡する。そのような平均化ビヘイビアは、（依然としてアップリンクタイミングの変動を許容範囲内に保ちながらタイミンググループ内でより大きいダウンリンク許容差を可能にするために）指定されたＵＥビヘイビアであるか、またはＵＥ実装に任され得る。
【００５２】
図５には、例示的な平均化手順の図が与えられている。図示のように、ワイヤレス端末５１０は、キャリアＡまたはキャリアＢのいずれかを介してダウンリンク／アップリンクオフセットを受信する。この特定の例では、キャリアＡはダウンリンクAおよびアップリンクAに関連し、キャリアＢはダウンリンクBおよびアップリンクBに関連する。次いで、アップリンクAおよびアップリンクBの平均に等しいダウンリンクAおよびダウンリンクBの平均にタイミングオフセットを追加することによって実際のアップリンクタイミングが確認され得る。
【００５３】
いくつかの実施形態の場合、ＵＥが共通サイトから制御される複数のタイミンググループに割り当てられる場合、ＵＥは、基地局との単一の対話を用いてすべてグループのためのタイミング調整を受信し得る。実際、ＵＥは、原則として、グループごとに別個のタイミング調整を実行することによって同じ情報を受信することができるので、そのような手順は本質的にシグナリング最適化である。しかしながら、ベクトルとして調整を送ることは、無線アクティビティ、特に、無線リソースおよびＵＥのバッテリー寿命に関して費用がかかるランダムアクセス手順を低減する。
【００５４】
そのようなコマンドを実装するために、ネットワークは、ＵＥが少なくとも１つのキャリアに割り当てられるタイミンググループに気づいている必要があり得る。この知識は、特定のＵＥにタイミングアドバンスをシグナリングする必要を判断したときに、ネットワークが、すべての適切なタイミンググループのためのタイミングアドバンスコマンドを自動的に含むように、ネットワーク中で自律的に維持され得る。代替的に、ＵＥは、タイミンググループの特定のセット（たとえば、ＵＥの時間整合タイマーがある満了範囲内にあるグループ）のためのタイミングアドバンス値を要求することができる。しかしながら、特定のグループについての要求は、新しい媒体アクセス制御（ＭＡＣ）要素を表し、ＭＡＣ要素は、無線リソースにおける潜在的に大きいコストを伴うランダムアクセスにおいて無線で送信される必要があり得る。いくつかの実施形態の場合、したがって、どのタイミンググループが特定のＵＥに対するタイミングアドバンスコマンドを必要とするかという知識をネットワークが維持することが望ましい。
【００５５】
このベクトル手法の別の態様では、ネットワークは、ＭＡＣ要素ごとにただ１つのタイミングアドバンスコマンドのみを送るが、値がどのタイミンググループに関連するかを示すことを選択することができる。そのような手法は、既存の情報のみがグループ識別子によって増加される必要があるので、関係するＭＡＣ制御要素への仕様影響を最小限に抑えることになる。そのような識別子は少数のビットを用いて（たとえば、ＵＥが構成されたタイミンググループのセットへのインデックスとして）送信され得ると推定される。そのようなマッピングは、ＵＥが特定のキャリアで構成されたときに（無線リソース制御などの上位レイヤ中の）明示的シグナリングによって確立され得る。
【００５６】
次に図６を参照すると、一実施形態による、マルチキャリアシステムにおけるタイミング整合を可能にする例示的なワイヤレス端末のブロック図が与えられている。図示のように、ワイヤレス端末６００は、プロセッサ構成要素６１０と、メモリ構成要素６２０と、ダウンリンクタイミング構成要素６３０と、アップリンクタイミング構成要素６４０と、通信構成要素６５０と、ランダムアクセス構成要素６６０と、メッセージ処理構成要素６７０と、平均化構成要素６８０とを含み得る。
【００５７】
一態様では、プロセッサ構成要素６１０は、複数の機能のうちのいずれかを実行することに関係するコンピュータ可読命令を実行するように構成される。プロセッサ構成要素６１０は、ワイヤレス端末６００から通信される情報を分析すること、ならびに／あるいはメモリ構成要素６２０、ダウンリンクタイミング構成要素６３０、アップリンクタイミング構成要素６４０、通信構成要素６５０、ランダムアクセス構成要素６６０、メッセージ処理構成要素６７０および／または平均化構成要素６８０によって利用され得る情報を生成することに専用の、単一のプロセッサまたは複数のプロセッサであり得る。追加または代替として、プロセッサ構成要素６１０は、ワイヤレス端末６００の１つまたは複数の構成要素を制御するように構成され得る。
【００５８】
別の態様では、メモリ構成要素６２０は、プロセッサ構成要素６１０に結合され、プロセッサ構成要素６１０によって実行されるコンピュータ可読命令を記憶するように構成される。メモリ構成要素６２０はまた、ダウンリンクタイミング構成要素６３０、アップリンクタイミング構成要素６４０、通信構成要素６５０、ランダムアクセス構成要素６６０、メッセージ処理構成要素６７０、および／または平均化構成要素６８０のいずれかによって生成されるデータを含む複数の他のタイプのデータのいずれかを記憶するように構成され得る。メモリ構成要素６２０は、ランダムアクセスメモリ、バッテリーバックアップ付きメモリ、ハードディスク、磁気テープなどを含む、いくつかの異なる構成で構成され得る。圧縮および自動バックアップなどの様々な特徴（たとえば、Ｒｅｄｕｎｄａｎｔ  Ａｒｒａｙ  ｏｆ  Ｉｎｄｅｐｅｎｄｅｎｔ  Ｄｒｉｖｅｓ構成の使用）はまた、メモリ構成要素６２０上に実装され得る。
【００５９】
図示のように、ワイヤレス端末６００はまた、ダウンリンクタイミング構成要素６３０とアップリンクタイミング構成要素６４０とを含み得る。そのような実施形態内では、ダウンリンクタイミング構成要素６３０は、少なくとも１つのダウンリンクキャリアに関連する少なくとも１つのダウンリンクタイミングを判断するように構成され、アップリンクタイミング構成要素６４０は、少なくとも１つのダウンリンクタイミングと、キャリアのアップリンクグループに関連するタイミングオフセットとに基づいて、キャリアのアップリンクグループと関連するアップリンクタイミングを確認するように構成される。一態様では、アップリンクタイミング構成要素６４０は、キャリアの複数のアップリンクグループごとに異なるタイミングオフセットを利用することによってアップリンクタイミングを判断するように構成される。アップリンクタイミング構成要素６４０はまた、キャリアの複数のアップリンクグループごとに異なるダウンリンクタイミングを利用することによってアップリンクタイミングを判断するように構成され得る。
【００６０】
他の態様では、少なくとも１つのダウンリンクキャリアは、複数のダウンリンクグループのうちの１つ中に含まれる。そのような実施形態内では、アップリンクタイミング構成要素６４０は、キャリアのアップリンクグループを複数のダウンリンクグループのうちの１つと関連付けることによってアップリンクタイミングを判断するように構成され得る。特定の態様では、アップリンクタイミング構成要素６４０は、複数のアップリンクグループにそれぞれ関連する複数のアップリンクタイミングを判断するように構成される。ここで、アップリンクタイミング構成要素６４０は、割り当てられたキャリアを含むダウンリンクグループのサブセットを識別することによって複数のアップリンクグループを確認し、複数のアップリンクグループが、割り当てられたキャリアを含むダウンリンクグループのサブセットにそれぞれ関連する。
【００６１】
さらに別の態様では、ワイヤレス端末６００は、プロセッサ構成要素６１０に結合され、ワイヤレス端末６００を外部エンティティとインターフェースするように構成された通信構成要素６５０を含む。たとえば、通信構成要素６５０は、アップリンクタイミング構成要素６４０によって確認されたアップリンクタイミングに従って共通アップリンクグループのアップリンクキャリアを送信するように構成され得る。特定の一実施形態では、キャリアのアップリンクグループの各々が、対応するアップリンクタイミングのしきい値内で送信される。
【００６２】
図示のように、ワイヤレス端末６００はまた、メッセージ処理構成要素６７０を含み得る。そのような実施形態内では、メッセージ処理構成要素６７０は、キャリアのアップリンクグループのアップリンクグループサブセットにそれぞれ対応するアップリンクタイミング命令のセットで符号化された受信タイミングメッセージを処理するように構成され得る。特定の態様では、メッセージ処理構成要素６７０は、キャリアのアップリンクグループを複数のダウンリンクグループのうちの１つに関連付けるように構成され、タイミングメッセージが、複数のダウンリンクグループのダウンリンクグループサブセットにそれぞれ対応するアップリンクタイミング命令のセットで符号化される。ここで、受信タイミングメッセージは、タイミングアドバンスコマンドであり得、および／またはアップリンクグループサブセットに関連するタイミング調整値(timing adjustment value)で符号化されたベクトルを備え得ることに留意されたい。
【００６３】
アップリンクグループサブセットが割り当てられたキャリアを含む特定の実施形態も企図される。たとえば、一実施形態では、アップリンクグループサブセット内の各アップリンクグループは、割り当てられた無線リソースをもつ少なくとも１つのキャリアを含む。別の実施形態では、キャリアのアップリンクグループは、各アップリンクグループが、割り当てられた無線リソースをもつ少なくとも１つのキャリアを含むアップリンクグループのセットを備え、アップリンクグループサブセットがアップリンクグループのセットのサブセットである。
【００６４】
いくつかの実施形態の場合、アップリンクグループサブセットがネットワークエンティティ(network entity)によって判断されることが企図される。たとえば、メッセージ処理構成要素６７０は、アップリンクグループサブセットを与えるようにネットワークエンティティに要求する要求をサブミット(submit)するように構成され得、アップリンクグループサブセットが、要求に応答してネットワークエンティティによって判断される。実際、受信タイミングメッセージ自体が、キャリアのアップリンクグループのうち、アップリンクグループサブセット中に含まれるキャリアの指示を含み得る。そのような実施形態の場合、メッセージ処理構成要素６７０は、ネットワークと共有されるグループ識別情報のマッピングに従って指示を復号するように構成され得る。一態様では、グループ識別情報のマッピングは、アップリンクグループサブセットのうちの少なくとも１つのアップリンクグループ内のアップリンクキャリア上の専用無線リソース(dedicated radio resource)の割当てに関連して構成される。
【００６５】
グループ間アップリンクタイミングを含むタイミングメッセージも企図される。たとえば、メッセージ処理構成要素６７０は、メッセンジャーダウンリンクグループ(messenger downlink group)中に含まれるタイミングメッセージキャリアを介して受信されたタイミングメッセージを復号するように構成され得、タイミングメッセージが、少なくとも１つのグループ間アップリンクタイミングで符号化される。ここで、グループ間アップリンクタイミングは、ターゲットダウンリンクグループに対応するアップリンクタイミングであり、ターゲットダウンリンクグループは、メッセンジャーダウンリンクグループとは異なる。これらの実施形態の場合、タイミングメッセージは、ターゲットダウンリンクグループの指示を含み得、メッセージ処理構成要素６７０は、同じく、ネットワークと共有されるグループ識別情報のマッピングに従って指示を復号するように構成され得る。たとえば、グループ識別情報のマッピングは、ターゲットダウンリンクグループ中に含まれるダウンリンクキャリア上の専用無線リソースの割当てに関連して構成され得る。
【００６６】
別の態様では、特定のダウンリンクタイミングを使用するのではなく、本発明は、複数のダウンリンクタイミングを利用することを企図する。この目的で、ワイヤレス端末６００は、複数のダウンリンクタイミングから平均ダウンリンクタイミングを計算するように構成された平均化構成要素６８０をさらに含み得る。そのような実施形態内では、複数のダウンリンクタイミングは、少なくとも１つのダウンリンクキャリアを含む特定のダウンリンクグループ内のダウンリンクキャリアのセットにそれぞれ対応する。ここで、アップリンクタイミング構成要素６４０は、次いで、平均ダウンリンクタイミングにタイミングオフセットを適用することによってアップリンクタイミングを判断するように構成される。平均化構成要素６８０によって利用される特定のダウンリンクグループに関して、そのようなダウンリンクグループは、割り当てられた無線リソースに関連する少なくとも１つのキャリアを備える特定のダウンリンクグループであり得ることが企図される。代替的に、特定のダウンリンクグループは、ネットワークによって識別されるキャリアのセットを備える。
【００６７】
ワイヤレス端末６００はまた、ランダムアクセス手順を実行するように構成されたランダムアクセス構成要素６６０を含み得る。そのような実施形態内では、ランダムアクセス構成要素６６０は、ネットワークから受信された少なくとも１つのダウンリンクキャリアを含むキャリアのダウンリンクグループ中に含まれる少なくとも１つのランダムアクセスキャリア上でランダムアクセス手順を実行するように構成される。特定の態様では、ランダムアクセス手順は単一のキャリア上で実行され、単一のキャリアは、ランダムアクセス手順を実行することより前にネットワークによって与えられる割当てキャリア(assigned carrier)である。代替的に、ランダムアクセス手順は、専用無線リソース構成(dedicated radio resource configuration)の一部として単一のキャリアを受信することを含み得る。
【００６８】
別の実施形態では、適切なキャリアを選択するための基準が利用される。たとえば、ランダムアクセス手順は、単一のキャリアの使用に関連する基準を受信することを含み得、基準が、単一のキャリアの割当てとともに受信される。そのような実施形態内では、基準は、単一のキャリアに関連する最小信号品質しきい値であり得る。ここで、ランダムアクセス構成要素６６０は、基準が単一のキャリアによって満たされないことに応答して代替キャリア(alternative carrier)上でランダムアクセス手順を実行するように構成され得る。そのような実施形態の場合、ランダムアクセス構成要素６６０は、ネットワークから代替キャリアの指示を受信するように構成され得る。代替的に、代替キャリアは、ランダムアクセス構成要素６６０によって独立して選択される。
【００６９】
代替キャリアを選択することに加えて、単一のキャリアがランダムアクセス構成要素６６０によって独立して選択されることも企図される。そのような実施形態内では、選択することは、キャリアのダウンリンクグループ中の利用可能なキャリアのセットに判断関数（determination function）を適用することを備え得る。ここで、たとえば、擬似ランダム関数および／またはハッシュ関数を含む複数の判断関数のいずれかが利用され得ることが企図される。たとえば、ハッシュ関数が実装される場合、ランダムアクセス手順は、識別子をハッシュ関数に入力することを含み得、識別子は、ワイヤレス端末および／またはネットワークノードに関連付けられ得る（キャリアのダウンリンクグループは、ネットワークノードによって制御される）。手順が時間変動値をハッシュ関数に入力することを含む実施形態も企図される。そのような実施形態の場合、手順は、ワイヤレス端末６００内から取られる時間測定値を介して時間変動値を判断することをさらに含み得る。手順はまた、時間変動値が使用されるたびに、算術演算(arithmetic operation)によって時間変動値を変更することを含み得る。
【００７０】
別の態様では、ランダムアクセス構成要素６６０は、特定の時間にランダムアクセスキャリアを選択するように構成される。たとえば、選択手順は、キャリアのダウンリンクグループのいずれかの上でワイヤレス端末６００に無線リソースが割り当てられるときに実行され得る。代替的に、選択することは、ランダムアクセス手順をトリガすることに応答して実行される。
【００７１】
図７を参照すると、一実施形態による、マルチキャリアシステムにおいてタイミング整合を可能にするシステム７００が示されている。システム７００、および／またはシステム７００を実装するための命令は、たとえば、ユーザ機器（たとえば、ワイヤレス端末６００）内に、またはコンピュータ可読記憶媒体内に常駐することができる。図示のように、システム７００はプロセッサ、ソフトウェア、またはそれらの組合せ（たとえば、ファームウェア）によって実装される機能を表すことができる機能ブロックを含む。システム７００は、連携して動作することができる電気構成要素の論理グルーピング７０２を含む。図示のように、論理グルーピング７０２は、少なくとも１つのダウンリンクキャリア７１０に関連する少なくとも１つのダウンリンクタイミングを判断するための電気構成要素を含むことができる。論理グルーピング７０２はまた、少なくとも１つのダウンリンクタイミングおよびタイミングオフセット７１２に基づいてキャリアのアップリンクグループに関連するアップリンクタイミングを確認するための電気構成要素を含むことができる。さらに、論理グルーピング７０２は、アップリンクタイミング７１４のしきい値内でキャリアのアップリンクグループの各々を送信するための電気構成要素を含むことができる。さらに、システム７００は、電気構成要素７１０、７１２、および７１４に関連付けられた機能を実行するための命令を保持するメモリ７２０を含むことができ、電気構成要素７１０、７１２、および７１４のいずれも、メモリ７２０の内部または外部のいずれかに存在することができる。
【００７２】
次に図８を参照すると、マルチキャリアシステムにおいてタイミング整合を可能にするための例示的な方法を示すフローチャートが与えられている。図示のように、プロセス８００は、本明細書の一態様に従ってユーザ機器（たとえば、ワイヤレス端末６００）の様々な構成要素によって実行され得る一連の行為を含む。プロセス８００は、一連の行為を実装するためにコンピュータ可読記憶媒体に記憶されたコンピュータ実行可能命令を実行するために少なくとも１つのプロセッサを採用することによって実装され得る。別の実施形態では、少なくとも１つのコンピュータに、プロセス８００の行為を実装させるためのコードを備えるコンピュータ可読記憶媒体が企図される。
【００７３】
一態様では、プロセス８００は、行為８１０においてダウンリンク通信を受信することで開始する。ここで、ダウンリンク通信はマルチキャリア通信であり、少なくとも１つのダウンリンクキャリアがダウンリンクグループに関連する。次いで、プロセス８００は行為８２０に進み、ダウンリンクキャリアのダウンリンクタイミングを判断し、続いて、行為８３０に進みダウンリンクキャリアのタイミンググループのタイミングオフセットを確認する。
【００７４】
次に、行為８４０において、キャリアのアップリンクグループをキャリアのダウンリンクグループに関連付ける。次いで行為８５０において、ダウンリンクタイミングおよびタイミングオフセットに基づいてアップリンクグループのためのアップリンクタイミングが確認される。次いで、プロセス８００は、アップリンクグループの特定のアップリンクタイミングに従ってキャリアのアップリンクグループを介してアップリンク通信を送信する行為８６０において終わる。さらに、この特定の例では、アップリンクグループのアップリンクキャリアの各々は、グループに関連するアップリンクタイミングのしきい値許容差内で送信される。
【００７５】
次に図９を参照すると、ブロック図は、様々な態様による、マルチキャリアシステムにおいてタイミング整合を可能にする例示的な基地局を示している。図示のように、基地局９００は、プロセッサ構成要素９１０と、メモリ構成要素９２０と、タイミングオフセット構成要素９３０と、送信構成要素９４０と、受信構成要素９５０と、生成構成要素９６０と、ランダムアクセス構成要素９７０とを含み得る。
【００７６】
ワイヤレス端末６００中のプロセッサ構成要素６１０と同様に、プロセッサ構成要素９１０は、複数の機能のいずれかを実行することに関係するコンピュータ可読命令を実行するように構成される。プロセッサ構成要素９１０は、基地局９００から通信すべき情報を分析すること、ならびに／あるいはメモリ構成要素９２０、タイミングオフセット構成要素９３０、送信構成要素９４０、受信構成要素９５０、生成構成要素９６０、および／またはランダムアクセス構成要素９７０によって利用され得る情報を生成することに専用の、単一のプロセッサまたは複数のプロセッサであり得る。追加または代替として、プロセッサ構成要素９１０は、基地局９００の１つまたは複数の構成要素を制御するように構成され得る。
【００７７】
別の態様では、メモリ構成要素９２０は、プロセッサ構成要素９１０に結合され、プロセッサ構成要素９１０によって実行されるコンピュータ可読命令を記憶するように構成される。メモリ構成要素９２０はまた、タイミングオフセット構成要素９３０、送信構成要素９４０、受信構成要素９５０、生成構成要素９６０、および／またはランダムアクセス構成要素９７０のいずれかによって生成されるデータを含む複数の他のタイプのデータのいずれかを記憶するように構成され得る。ここで、メモリ構成要素９２０はワイヤレス端末６００中のメモリ構成要素６２０に類似することに留意されたい。したがって、メモリ構成要素６２０の上述の特徴／構成のいずれかはメモリ構成要素９２０にも適用可能であることを諒解されたい。
【００７８】
図示のように、基地局９００はまた、タイミングオフセット構成要素９３０を含み得る。そのような実施形態内では、タイミングオフセット構成要素９３０は、キャリアのアップリンクグループにタイミングオフセットを割り当てるように構成される。たとえば、特定の一実施形態では、タイミングオフセット構成要素９３０は、複数のアップリンクグループの各々に異なるタイミングオフセットを割り当てるように構成される。
【００７９】
別の態様では、基地局９００は、プロセッサ構成要素９１０に結合され、基地局９００を外部エンティティとインターフェースするように構成された送信構成要素９４０と受信構成要素９５０とを含む。たとえば、送信構成要素９４０は、少なくとも１つのダウンリンクキャリアを介してワイヤレス端末にタイミングオフセット構成要素９３０によって確認されたタイミングオフセットを与えるように構成され得、受信構成要素９５０は、このタイミングオフセットに従ってキャリアのアップリンクグループを介してアップリンク通信を受信するように構成され得る。特定の一実施形態では、送信構成要素９４０は、共通サイトに位置するアンテナからキャリアのダウンリンクグループを送信するように構成される。別の実施形態では、送信構成要素９４０は、ワイヤレス端末によって実行される複数のダウンリンクタイミングの平均化を可能にするために、複数のダウンリンクタイミングにそれぞれ対応するキャリアのセットを識別するように構成される。
【００８０】
図示のように、基地局９００はまた、発生構成要素９６０を含み得る。そのような実施形態内では、生成構成要素９６０は、アップリンクタイミング命令のセットで符号化されたタイミングメッセージを生成するように構成される。たとえば、そのような命令は、複数のアップリンクグループのアップリンクグループサブセットにそれぞれ対応するアップリンクタイミング命令を含み得、送信構成要素９４０は、ワイヤレス端末にタイミングメッセージを送信するように構成される。ここで、タイミングメッセージは、タイミングアドバンスコマンドであり得、および／またはアップリンクグループサブセットに関連するタイミング調整値で符号化されたベクトルを備え得ることに留意されたい。
【００８１】
アップリンクグループサブセットが割り当てられたキャリアを含む特定の実施形態も企図される。たとえば、一実施形態では、アップリンクグループサブセット内の各アップリンクグループは、ワイヤレス端末に割り当てられた無線リソースをもつ少なくとも１つのキャリアを含む。別の実施形態では、複数のアップリンクグループは、アップリンクグループのセット内の各アップリンクグループがワイヤレス端末に割り当てられる無線リソースをもつ少なくとも１つのキャリアを含む、アップリンクグループのセットを備え、アップリンクグループサブセットは、アップリンクグループのセットのサブセットである。
【００８２】
別の態様では、基地局９００がアップリンクグループサブセットを判断することを可能にするために構成要素を含み得ることに留意されたい。そのような実施形態は、たとえば、アップリンクグループサブセットを与えるためにワイヤレス端末から要求を受信することを含み、判断することは、要求に応答して実行される。生成構成要素９６０はまた、複数のアップリンクグループのいずれがアップリンクグループサブセット中に含まれるかの指示で符号化されるタイミングメッセージを生成するように構成され得る。例示的な実施形態では、指示は、ワイヤレス端末と共有されるグループ識別情報のマッピングに従って符号化される。この実施形態の場合、グループ識別情報のマッピングは、アップリンクグループサブセットのうちの少なくとも１つのアップリンクグループ内のアップリンクキャリア上の専用無線リソースの割当てに関連して構成され得る。
【００８３】
別の態様では、グループ間アップリンクタイミングで符号化されたタイミングメッセージが企図される。たとえば、生成構成要素９６０は、ターゲットダウンリンクグループに対応する少なくとも１つのグループ間アップリンクタイミングで符号化されたタイミングメッセージを生成するように構成され得る。そのような実施形態内では、送信構成要素９４０は、メッセンジャーダウンリンクグループ中に含まれるタイミングメッセージキャリアを介してワイヤレス端末にタイミングメッセージを送信するように構成され、ターゲットダウンリンクグループは、メッセンジャーダウンリンクグループとは異なる。ここで、タイミングメッセージはターゲットダウンリンクグループの指示で符号化され得ることに留意されたい。前述したグループ間実施形態と同様に、そのような指示は、ワイヤレス端末と共有されるグループ識別情報のマッピングに従って符号化され得る。たとえば、グループ識別情報のマッピングは、ターゲットダウンリンクグループ中に含まれるダウンリンクキャリア上の専用無線リソースの割当てに関連して構成され得る。
【００８４】
図示のように、基地局９００はまた、ランダムアクセス構成要素９７０を含み得る。そのような実施形態内では、ランダムアクセス構成要素９７０は、ランダムアクセス手順を可能にするためにランダムアクセスキャリアを識別するように構成され、ランダムアクセスキャリアは、ワイヤレス端末に割り当てられる。一態様では、送信構成要素９４０は、専用無線リソース構成の一部としてランダムアクセスキャリアを送信するように構成され得る。別の態様では、ランダムアクセス構成要素９７０は、ランダムアクセスキャリアの使用に関連する基準を確認するように構成され、基準は、ランダムアクセスキャリアの割当てとともに前記ワイヤレス端末に与えられる。たとえば、基準は、ランダムアクセスキャリアに関連する最小信号品質しきい値であり得る。さらに別の態様では、ランダムアクセス構成要素９７０は、基準がランダムアクセスキャリアによって満たされていないことに応答して代替キャリア上でワイヤレス端末によってランダムアクセス手順を実行することを可能にするために、代替キャリアを識別するように構成される。
【００８５】
次に図１０を参照すると、一実施形態による、マルチキャリアシステムにおいてタイミング整合を可能にするシステム１０００が示されている。システム１０００、および／またはシステム１０００を実装するための命令は、たとえば、ネットワークエンティティ（たとえば、基地局９００）内に、またはコンピュータ可読記憶媒体内に常駐することができ、システム１０００は、プロセッサ、ソフトウェア、またはそれらの組合せ（たとえば、ファームウェア）によって実装される機能を表すことができる機能ブロックを含む。その上、システム１０００は、システム７００中の論理グルーピング７０２と同様に、連携して動作することができる電気構成要素の論理グルーピング１００２を含む。図示のように、論理グルーピング１００２は、ワイヤレス端末に少なくとも１つのダウンリンクキャリアを送信するための電気構成要素１０１０、ならびにキャリアのアップリンクグループにタイミングオフセットを割り当てるための電気構成要素１０１２を含むことができる。さらに、論理グルーピング１００２は、少なくとも１つのダウンリンクキャリアを介してワイヤレス端末にタイミングオフセットを与えるための電気構成要素１０１４を含むことができる。論理グルーピング１００２はまた、タイミングオフセットに従ってキャリアのアップリンクグループを介してアップリンク通信を受信するための電気構成要素１０１６を含むことができる。さらに、システム１０００は、電気構成要素１０１０、１０１２、１０１４、および１０１６に関連する機能を実行するための命令を保持するメモリ１０２０を含むことができる。メモリ１０２０の外部にあるものとして図示されているが、電気構成要素１０１０、１０１２、１０１４、および１０１６はメモリ１０２０の内部に存在することができることを理解されたい。
【００８６】
次に図１１を参照すると、マルチキャリアシステムにおいてタイミング整合を可能にする例示的な方法を示すフローチャートが与えられている。図示のように、プロセス１１００は、本明細書の一態様よる、ネットワークエンティティ（たとえば、基地局９００）の様々な構成要素によって実行され得る一連の行為を含む。プロセス１１００は、一連の行為を実装するためにコンピュータ可読記憶媒体に記憶されたコンピュータ実行可能命令を実行するために少なくとも１つのプロセッサを採用することによって実装され得る。別の実施形態では、少なくとも１つのコンピュータに、プロセス１１００の行為を実装させるコードを備えるコンピュータ可読記憶媒体が企図される。
【００８７】
一態様では、プロセス１１００は、行為１１１０において、ユーザ機器とマルチキャリア通信を確立することで開始する。次に、行為１１２０において、キャリアのアップリンクグループにタイミングオフセットを割り当て、複数のアップリンクグループの各々に異なるタイミングオフセットを割り当てる。タイミングオフセットが割り当てられると、プロセス１１００は行為１１３０に進み、ユーザ機器とのダウンリンク通信を可能にするように特定のダウンリンクキャリアを構成する。次いで行為１１４０において、行為１１３０において構成されたダウンリンクキャリアのうちの少なくとも１つを介してユーザ機器にタイミングオフセットを与える。次いで、プロセス１１００は、行為１１２０において割り当てられたタイミングオフセットに従ってユーザ機器からアップリンク通信を受信する行為１１５０において終わる。
【００８８】
例示的な通信システム
次に図１２を参照すると、様々な態様に従って実装される、複数のセル、すなわちセルＩ１２０２、セルＭ１２０４を含む例示的な通信システム１２００が与えられている。ここで、セル境界領域１２６８によって示されるように、近隣セル１２０２、１２０４はわずかに重複し、それにより近隣セル中の基地局によって送信される信号間の信号干渉の可能性を生じることに留意されたい。システム１２００の各セル１２０２、１２０４は、３つのセクタを含む。様々な態様によれば、複数のセクタに再分割されなかったセル（Ｎ＝１）、２つのセクタをもつセル（Ｎ＝２）、および３つ以上のセクタをもつセル（Ｎ＞３）も可能である。セル１２０２は、第１のセクタ、セクタＩ１２１０と、第２のセクタ、セクタＩＩ１２１２と、第３のセクタ、セクタＩＩＩ１２１４とを含む。各セクタ１２１０、１２１２、および１２１４は、２つのセクタ境界領域を有し、各境界領域は、２つの隣接するセクタ間で共有される。
【００８９】
セクタ境界領域は、近隣セクタ中の基地局によって送信される信号間の信号干渉の可能性を与える。線１２１６はセクタＩ１２１０とセクタＩＩ１２１２との間のセクタ境界領域を表し、線１２１８はセクタＩＩ１２１２とセクタＩＩＩ１２１４との間のセクタ境界領域を表し、線１２２０はセクタＩＩＩ１２１４とセクタＩ１２１０との間にセクタ境界領域を表す。同様に、セルＭ１２０４は、第１のセクタ、セクタＩ１２２２と、第２のセクタ、セクタＩＩ１２２４と、第３のセクタ、セクタＩＩＩ１２２６とを含む。線１２２８はセクタＩ１２２２とセクタＩＩ１２２４との間のセクタ境界領域を表し、線１２３０はセクタＩＩ１２２４とセクタＩＩＩ１２２６との間のセクタ境界領域を表し、線１２３２はセクタＩＩＩ１２２６とセクタＩ１２２２との間にセクタ境界領域を表す。セルＩ１２０２は、各セクタ１２１０、１２１２、１２１４中に基地局（ＢＳ）と、基地局Ｉ１２０６と、複数のエンドノード（ＥＮ）とを含む。セクタＩ１２１０は、ワイヤレスリンク１２４０、１２４２を介してＢＳ１２０６にそれぞれ結合されたＥＮ（１）１２３６とＥＮ（Ｘ）１２３８とを含み、セクタＩＩ１２１２は、ワイヤレスリンク１２４８、１２５０を介してＢＳ１２０６にそれぞれ結合されたＥＮ（１’）１２４４とＥＮ（Ｘ’）１２４６とを含み、セクタＩＩＩ１２１４は、ワイヤレスリンク１２５６、１２５８を介してＢＳ１２０６にそれぞれ結合されたＥＮ（１’’）１２５２とＥＮ（Ｘ’’）１２５４とを含む。同様に、セルＭ１２０４は、各セクタ１２２２、１２２４、および１２２６中に基地局Ｍ１２０８と複数のエンドノード（ＥＮ）とを含む。セクタＩ１２２２は、ワイヤレスリンク１２４０’、１２４２’を介してＢＳ  Ｍ１２０８にそれぞれ結合されたＥＮ（１）１２３６’とＥＮ（Ｘ）１２３８’とを含み、セクタＩＩ１２２４は、ワイヤレスリンク１２４８’、１２５０’を介してＢＳ  Ｍ１２０８にそれぞれ結合されたＥＮ（１’）１２４４’とＥＮ（Ｘ’）１２４６’とを含み、セクタＩＩＩ１２２６は、ワイヤレスリンク１２５６’、１２５８’を介してＢＳ１２０８にそれぞれ結合されたＥＮ（１’’）１２５２’とＥＮ（Ｘ’’）１２５４’とを含む。
【００９０】
システム１２００はまた、それぞれネットワークリンク１２６２、１２６４を介してＢＳ  Ｉ１２０６とＢＳ  Ｍ１２０８とに結合されたネットワークノード１２６０を含む。ネットワークノード１２６０はまた、ネットワークリンク１２６６を介して、たとえば、他の基地局、ＡＡＡサーバノード、中間ノード、ルータなどの他のネットワークノードと、インターネットとに結合される。ネットワークリンク１２６２、１２６４、１２６６は、たとえば、光ファイバケーブルであり得る。各エンドノード、たとえば、ＥＮ１  １２３６は、送信機ならびに受信機を含むワイヤレス端末であり得る。ワイヤレス端末、たとえば、ＥＮ（１）１２３６は、システム１２００を移動し得、ＥＮが現在位置するセル中の基地局とワイヤレスリンクを介して通信し得る。ワイヤレス端末（ＷＴ）、たとえばＥＮ（１）１２３６は、基地局、たとえば、ＢＳ１２０６、および／またはネットワークノード１２６０を介して、ピアノード、たとえば、システム１２００中またはシステム１２００外の他のＷＴと通信し得る。ＷＴ、たとえば、ＥＮ（１）１２３６は、セルフォン、ワイヤレスモデムをもつ個人情報端末などのモバイル通信デバイスであり得る。それぞれの基地局は、トーンを割り振り、休止シンボル期間、たとえば、非ストリップシンボル期間中にトーンホッピングを判断するために採用される方法とは異なる、ストリップシンボル期間のための方法を使用してトーンサブセット割振りを実行する。ワイヤレス端末は、基地局から受信された情報、たとえば、基地局スロープＩＤ、セクタＩＤ情報とともにトーンサブセット割振り方法を使用して、それらが特定のストリップシンボル期間においてデータおよび情報を受信するために採用することができるトーンを判断する。トーンサブセット割振りシーケンスは、それぞれのトーン上のセクタ間干渉およびセル間干渉を拡散するために、様々な態様に従って構築される。主題のシステムについて主にセルラーモードのコンテキスト内で説明したが、本明細書で説明する態様によれば、複数のモードが利用可能であり、採用可能であり得ることを諒解されたい。
【００９１】
例示的な基地局
図１３に、様々な態様による、例示的な基地局１３００を示す。基地局１３００は、トーンサブセット割振りシーケンスを実装し、異なるトーンサブセット割振りシーケンスは、セルのそれぞれの異なるセクタタイプに対して生成される。基地局１３００は、図１２のシステム１２００の基地局１２０６、１２０８のうちのいずれか１つとして使用され得る。基地局１３００は、バス１３０９によって互いに結合された、受信機１３０２と、送信機１３０４と、プロセッサ１３０６、たとえば、ＣＰＵと、入出力インターフェース１３０８と、メモリ１３１０とを含み、バス１３０９を介して、様々な要素１３０２、１３０４、１３０６、１３０８、および１３１０はデータおよび情報を交換し得る。
【００９２】
受信機１３０２に結合されたセクタ化されたアンテナ１３０３は、基地局のセル内の各セクタからのワイヤレス端末送信から、データおよび他の信号、たとえば、チャネル報告を受信するために使用される。送信機１３０４に結合されたセクタ化されたアンテナ１３０５は、基地局のセルの各セクタ内のワイヤレス端末１４００（図１４を参照）に、データおよび他の信号、たとえば、制御信号、パイロット信号、ビーコン信号などを送信するために使用される。様々な態様では、基地局１３００は、複数の受信機１３０２および複数の送信機１３０４、たとえば、各セクタの個々の受信機１３０２および各セクタの個々の送信機１３０４を採用し得る。プロセッサ１３０６は、たとえば、汎用中央処理ユニット（ＣＰＵ）であり得る。プロセッサ１３０６は、メモリ１３１０に記憶された１つまたは複数のルーチン１３１８の指示の下で基地局１３００の動作を制御し、方法を実装する。入出力インターフェース１３０８は、他のネットワークノードへの接続を与え、ＢＳ１３００を他の基地局、アクセスルータ、ＡＡＡサーバノードなど、他のネットワーク、およびインターネットに結合する。メモリ１３１０は、ルーチン１３１８とデータ／情報１３２０とを含む。
【００９３】
データ／情報１３２０は、データ１３３６と、ダウンリンクストリップシンボル時間情報１３４０およびダウンリンクトーン情報１３４２を含むトーンサブセット割振りシーケンス情報１３３８と、ワイヤレス端末（ＷＴ）情報、すなわちＷＴ１情報１３４６およびＷＴ  Ｎ情報１３６０の複数のセットを含むＷＴデータ／情報１３４４とを含む。ＷＴ情報の各セット、たとえば、ＷＴ１情報１３４６は、データ１３４８と、端末ＩＤ１３５０と、セクタＩＤ１３５２と、アップリンクチャネル情報１３５４と、ダウンリンクチャネル情報１３５６と、モード情報１３５８とを含む。
【００９４】
ルーチン１３１８は、通信ルーチン１３２２と基地局制御ルーチン１３２４とを含む。基地局制御ルーチン１３２４は、スケジューラモジュール１３２６と、ストリップシンボル期間のためのトーンサブセット割振りルーチン１３３０、シンボル期間の残り、たとえば、非ストリップシンボル期間のための他のダウンリンクトーン割振りホッピングルーチン１３３２、およびビーコンルーチン１３３４を含むシグナリングルーチン１３２８とを含む。
【００９５】
データ１３３６は、ＷＴへの送信より前に符号化するための送信機１３０４のエンコーダ１３１４に送られることになる、送信すべきデータと、受信に続いて受信機１３０２のデコーダ１３１２を通して処理された、ＷＴから受信されたデータとを含む。ダウンリンクストリップシンボル時間情報１３４０は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが、基地局によって使用されたトーンサブセット割振りシーケンスを切り捨てるべきリセットポイントであるかどうかを指定する情報とを含む。ダウンリンクトーン情報１３４２は、基地局１３００に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【００９６】
データ１３４８は、ＷＴ１  １４００がピアノードから受信したデータと、ＷＴ１  １４００がピアノードに送信されることを望むデータと、ダウンリンクチャネル品質報告フィードバック情報とを含み得る。端末ＩＤ１３５０は、ＷＴ１  １４００を識別する、基地局１３００によって割り当てられたＩＤである。セクタＩＤ１３５２は、ＷＴ１  １４００が動作しているセクタを識別する情報を含む。セクタＩＤ１３５２は、たとえば、セクタタイプを判断するために使用され得る。アップリンクチャネル情報１３５４は、ＷＴ１  １４００が使用するように、スケジューラ１３２６によって割り振られたチャネルセグメント、たとえば、データのためのアップリンクトラフィックチャネルセグメント、要求、電力制御、タイミング制御などのための専用アップリンク制御チャネルを識別する情報を含む。ＷＴ１  １４００に割り当てられた各アップリンクチャネルは、１つまたは複数の論理トーンを含み、各論理トーンはアップリンクホッピングシーケンスに続く。ダウンリンクチャネル情報１３５６は、データおよび／または情報をＷＴ１  １４００に搬送するようにスケジューラ１３２６によって割り振られたチャネルセグメント、たとえば、ユーザデータのためのダウンリンクトラフィックチャネルセグメントを識別する情報を含む。ＷＴ１  １４００に割り当てられた各ダウンリンクチャネルは１つまたは複数の論理トーンを含み、その各々はダウンリンクホッピングシーケンスに続く。モード情報１３５８は、ＷＴ１  １４００の動作状態、たとえば、スリープ、ホールド、オンを識別する情報を含む。
【００９７】
通信ルーチン１３２２は、様々な通信動作を実行し、様々な通信プロトコルを実装するように基地局１３００を制御する。基地局制御ルーチン１３２４は、基本的な基地局機能タスク、たとえば、信号生成および受信、スケジューリングを実行し、ストリップシンボル期間中にトーンサブセット割振りシーケンスを使用して信号をワイヤレス端末に送信することを含む、いくつかの態様の方法のステップを実装するように、基地局１３００を制御するために使用される。
【００９８】
シグナリングルーチン１３２８は、デコーダ１３１２をもつ受信機１３０２と、エンコーダ１３１４をもつ送信機１３０４との動作を制御する。シグナリングルーチン１３２８は、送信データ１３３６と制御情報との生成を制御することを受け持つ。トーンサブセット割振りルーチン１３３０は、本態様の方法を使用して、さらにダウンリンクストリップシンボル時間情報１３４０とセクタＩＤ１３５２とを含むデータ／情報１３２０を使用して、ストリップシンボル期間中に使用すべきトーンサブセットを構築する。ダウンリンクトーンサブセット割振りシーケンスは、セル中のセクタタイプごとに異なり、隣接するセルごとに異なる。ＷＴ１４００は、ダウンリンクトーンサブセット割振りシーケンスに従ってストリップシンボル期間中に信号を受信し、基地局１３００は、送信信号を生成するために、同じダウンリンクトーンサブセット割振りシーケンスを使用する。他のダウンリンクトーン割振りホッピングルーチン１３３２は、ストリップシンボル期間以外のシンボル期間について、ダウンリンクトーン情報１３４２とダウンリンクチャネル情報１３５６とを含む情報を使用して、ダウンリンクトーンホッピングシーケンスを構築する。ダウンリンクデータトーンホッピングシーケンスは、セルのセクタにわたって同期させられる。ビーコンルーチン１３３４は、同期の目的のために、たとえば、ダウンリンク信号のフレームタイミング構造、したがってウルトラスロット境界に関するトーンサブセット割振りシーケンスを同期させるために使用され得るビーコン信号、たとえば、１つまたは数個のトーン上に集中される比較的高い電力信号の信号の送信を制御する。
【００９９】
例示的なワイヤレス端末
図１４に、図１２に示すシステム１２００のワイヤレス端末（エンドノード）のうちのいずれか１つ、たとえば、ＥＮ（１）１２３６として使用され得る例示的なワイヤレス端末（エンドノード）１４００を示す。ワイヤレス端末１４００はトーンサブセット割振りシーケンスを実装する。ワイヤレス端末１４００は、バス１４１０によって互いに結合された、デコーダ１４１２を含む受信機１４０２と、エンコーダ１４１４を含む送信機１４０４と、プロセッサ１４０６と、メモリ１４０８とを含み、バス１４１０を介して、様々な要素１４０２、１４０４、１４０６、１４０８はデータおよび情報を交換することができる。基地局（および／または異種ワイヤレス端末）から信号を受信するために使用されるアンテナ１４０３が、受信機１４０２に結合される。信号を、たとえば、基地局（および／または異種ワイヤレス端末）に送信するために使用されるアンテナ１４０５が、送信機１４０４に結合される。
【０１００】
プロセッサ１４０６、たとえば、ＣＰＵは、ワイヤレス端末１４００の動作を制御し、ルーチン１４２０を実行することと、メモリ１４０８中のデータ／情報１４２２を使用することとによって方法を実装する。
【０１０１】
データ／情報１４２２は、ユーザデータ１４３４と、ユーザ情報１４３６と、トーンサブセット割振りシーケンス情報１４５０とを含む。ユーザデータ１４３４は、ピアノードを対象とする、送信機１４０４による基地局への送信より前に符号化するためのエンコーダ１４１４にルーティングされることになるデータと、受信機１４０２中のデコーダ１４１２によって処理された基地局から受信されたデータとを含み得る。ユーザ情報１４３６は、アップリンクチャネル情報１４３８と、ダウンリンクチャネル情報１４４０と、端末ＩＤ情報１４４２と、基地局ＩＤ情報１４４４と、セクタＩＤ情報１４４６と、モード情報１４４８とを含む。アップリンクチャネル情報１４３８は、基地局に送信するときにワイヤレス端末１４００が使用するように、基地局によって割り当てられたアップリンクチャネルセグメントを識別する情報を含む。アップリンクチャネルは、アップリンクトラフィックチャネル、専用アップリンク制御チャネル、たとえば、要求チャネル、電力制御チャネルおよびタイミング制御チャネルを含み得る。各アップリンクチャネルは１つまたは複数の論理トーンを含み、各論理トーンがアップリンクトーンホッピングシーケンスに続く。アップリンクホッピングシーケンスは、セルの各セクタタイプ間で異なり、隣接するセル間で異なる。ダウンリンクチャネル情報１４４０は、基地局がデータ／情報をＷＴ１４００に送信しているときに使用するために、基地局によってＷＴ１４００に割り当てられたダウンリンクチャネルセグメントを識別する情報を含む。ダウンリンクチャネルは、ダウンリンクトラフィックチャネルと割当てチャネルとを含み得、各ダウンリンクチャネルは１つまたは複数の論理トーンを含み、各論理トーンは、セルの各セクタ間で同期させられるダウンリンクホッピングシーケンスに続く。
【０１０２】
また、ユーザ情報１４３６は、基地局によって割り当てられた識別情報である端末ＩＤ情報１４４２と、ＷＴが通信を確立した特定の基地局を識別する基地局ＩＤ情報１４４４と、ＷＴ１４００が現在位置を特定されたセルの特定のセクタを識別するセクタＩＤ情報１４４６とを含む。基地局ＩＤ１４４４はセルスロープ値を与え、セクタＩＤ情報１４４６はセクタインデックスタイプを与え、セルスロープ値およびセクタインデックスタイプは、トーンホッピングシーケンスを導出するために使用され得る。同じくユーザ情報１４３６中に含まれるモード情報１４４８は、ＷＴ１４００がスリープモード中か、ホールドモード中か、オンモード中かを識別する。
【０１０３】
トーンサブセット割振りシーケンス情報１４５０は、ダウンリンクストリップシンボル時間情報１４５２とダウンリンクトーン情報１４５４とを含む。ダウンリンクストリップシンボル時間情報１４５２は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが基地局によって使用されたトーンサブセット割振りシーケンスを切り捨てるべきリセットポイントであるかどうかを指定する情報とを含む。ダウンリンクトーン情報１４５４は、基地局に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【０１０４】
ルーチン１４２０は、通信ルーチン１４２４とワイヤレス端末制御ルーチン１４２６とを含む。通信ルーチン１４２４は、ＷＴ１４００によって使用される様々な通信プロトコルを制御する。ワイヤレス端末制御ルーチン１４２６は、受信機１４０２と送信機１４０４との制御を含む基本的ワイヤレス端末１４００機能を制御する。ワイヤレス端末制御ルーチン１４２６はシグナリングルーチン１４２８を含む。シグナリングルーチン１４２８は、ストリップシンボル期間のためのトーンサブセット割振りルーチン１４３０と、シンボル期間の残り、たとえば、非ストリップシンボル期間のための他のダウンリンクトーン割振りホッピングルーチン１４３２とを含む。トーンサブセット割振りルーチン１４３０は、いくつかの態様に従ってダウンリンクトーンサブセット割振りシーケンスを生成し、基地局から送信された受信されたデータを処理するために、ダウンリンクチャネル情報１４４０と、基地局ＩＤ情報１４４４、たとえば、スロープインデックスおよびセクタタイプと、ダウンリンクトーン情報１４５４とを含むユーザデータ／情報１４２２を使用する。他のダウンリンクトーン割振りホッピングルーチン１４３０は、ストリップシンボル期間以外のシンボル期間について、ダウンリンクトーン情報１４５４とダウンリンクチャネル情報１４４０とを含む情報を使用して、ダウンリンクトーンホッピングシーケンスを構築する。トーンサブセット割振りルーチン１４３０は、プロセッサ１４０６によって実行されたとき、いつ、およびどのトーン上で、ワイヤレス端末１４００が基地局１３００から１つまたは複数のストリップシンボル信号を受信することになるかを判断するために使用される。アップリンクトーン割振りホッピングルーチンは、それが送信すべきトーンを判断するために、基地局から受信された情報とともにトーンサブセット割振り機能を使用する。
【０１０５】
１つまたは複数の例示的な実施形態では、説明した機能はハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０６】
実施形態がプログラムコードまたはコードセグメント中に実装されるとき、コードセグメントは、プロシージャ、関数、サブプログラム、プログラム、ルーチン、サブルーチン、モジュール、ソフトウェアパッケージ、クラス、あるいは命令、データ構造またはプログラムステートメントの任意の組合せを表すことができることを諒解されたい。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、好適な手段を使用してパス、フォワーディング、または送信され得る。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１０７】
ソフトウェア実装の場合、本明細書で説明した技法は、本明細書で説明した機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【０１０８】
ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明した機能を実行するように設計された他の電子ユニット、またはそれらの組合せの中で実装され得る。
【０１０９】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
【０１１０】
本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために使用され得、あるいは、たとえば、状態の確率分布を生成することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１１１】
さらに、本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク上の別の構成要素と信号を介して相互作用する１つの構成要素からのデータ）を有する信号によるなど、ローカルおよび／またはリモートプロセスを介して通信することができる。
以下に本願発明の当初の特許請求の範囲に記載された発明を付記する。
［Ｃ１］
マルチキャリアシステムにおいてタイミング整合を可能にする方法であって、
少なくとも１つのダウンリンクキャリアに関連する少なくとも１つのダウンリンクタイミングを判断することと、
キャリアのアップリンクグループに関連するアップリンクタイミングを確認することと、なお前記アップリンクタイミングは、少なくとも１つのダウンリンクタイミングおよびキャリアの前記アップリンクグループに関連するタイミングオフセットの処理に基づいて確認され、
前記アップリンクタイミングのしきい値内でキャリアの前記アップリンクグループの各々を送信することと
を備える、方法。
［Ｃ２］
少なくとも１つのランダムアクセスキャリア上でランダムアクセス手順を実行することをさらに備え、前記少なくとも１つのランダムアクセスキャリアが、前記少なくとも１つのダウンリンクキャリアを含むキャリアのダウンリンクグループ中に含まれる、Ｃ１に記載の方法。
［Ｃ３］
前記実行することが、単一のキャリア上で前記ランダムアクセス手順を実行することを備える、Ｃ２に記載の方法。
［Ｃ４］
前記単一のキャリアが、前記ランダムアクセス手順を前記実行することより前にネットワークによって与えられる割当てキャリアである、Ｃ３に記載の方法。
［Ｃ５］
専用無線リソース構成の一部として前記単一のキャリアを受信することをさらに備える、Ｃ４に記載の方法。
［Ｃ６］
前記単一のキャリアの使用に関連する基準を受信することをさらに備え、前記基準が、前記単一のキャリアの割当てとともに受信される、Ｃ４に記載の方法。
［Ｃ７］
前記基準が、前記単一のキャリアに関連する最小信号品質しきい値である、Ｃ６に記載の方法。
［Ｃ８］
前記実行することは、前記基準が前記単一のキャリアによって満たされないことに応答して代替キャリア上で前記ランダムアクセス手順を実行することを備え、前記受信することが、前記ネットワークから前記代替キャリアの指示を受信することをさらに備える、Ｃ６に記載の方法。
［Ｃ９］
前記実行することは、前記基準が前記単一のキャリアによって満たされないことに応答して代替キャリア上で前記ランダムアクセス手順を実行することを備え、前記代替キャリアがワイヤレス端末によって独立して選択される、Ｃ６に記載の方法。
［Ｃ１０］
前記単一のキャリアを選択することをさらに備え、前記単一のキャリアがワイヤレス端末によって独立して選択される、Ｃ３に記載の方法。
［Ｃ１１］
前記選択することが、キャリアの前記ダウンリンクグループ中の利用可能なキャリアのセットに判断関数を適用することを備える、Ｃ１０に記載の方法。
［Ｃ１２］
前記判断機能が擬似ランダム関数である、Ｃ１１に記載の方法。
［Ｃ１３］
前記判断関数がハッシュ関数である、Ｃ１１に記載の方法。
［Ｃ１４］
前記ワイヤレス端末に関連する識別子を前記ハッシュ関数に入力することをさらに備える、Ｃ１３に記載の方法。
［Ｃ１５］
ネットワークノードに関連する識別子を前記ハッシュ関数に入力することをさらに備え、キャリアの前記ダウンリンクグループが前記ネットワークノードによって制御される、Ｃ１３に記載の方法。
［Ｃ１６］
時間変化値を前記ハッシュ関数に入力することをさらに備える、Ｃ１３に記載の方法。
［Ｃ１７］
前記ワイヤレス端末内から取られる時間測定値を介して前記時間変化値を判断することをさらに備える、Ｃ１６に記載の方法。
［Ｃ１８］
前記時間変化値が使用されるたびに、算術演算によって前記時間変化値を変更することをさらに備える、Ｃ１６に記載の方法。
［Ｃ１９］
前記選択することは、キャリアの前記ダウンリンクグループのいずれかの上で前記ワイヤレス端末に無線リソースが割り当てられたときに実行される、Ｃ１０に記載の方法。
［Ｃ２０］
前記選択することが、前記ランダムアクセス手順のトリガに応答して実行される、Ｃ１０に記載の方法。
［Ｃ２１］
マルチキャリアシステムにおいてタイミング整合を可能にするように構成された装置であって、
メモリに記憶されたコンピュータ実行可能構成要素を実行するように構成されたプロセッサを備え、前記構成要素が、
少なくとも１つのダウンリンクキャリアに関連する少なくとも１つのダウンリンクタイミングを判断するように構成されたダウンリンクタイミング構成要素と、
キャリアのアップリンクグループに関連するアップリンクタイミングを確認するように構成されたアップリンクタイミング構成要素であって、前記アップリンクタイミングが、少なくとも１つのダウンリンクタイミングと、キャリアの前記アップリンクグループに関連するタイミングオフセットとに基づいて確認される、アップリンクタイミング構成要素と、
前記アップリンクタイミングのしきい値内でキャリアの前記アップリンクグループの各々を送信するように構成された通信構成要素と
を含む、装置。
［Ｃ２２］
前記アップリンクタイミング構成要素が、キャリアの複数のアップリンクグループごとに異なるタイミングオフセットを利用することによって前記アップリンクタイミングを判断するように構成された、Ｃ２１に記載の装置。
［Ｃ２３］
前記アップリンクタイミング構成要素が、キャリアの複数のアップリンクグループごとに異なるダウンリンクタイミングを利用することによって前記アップリンクタイミングを判断するように構成された、Ｃ２１に記載の装置。
［Ｃ２４］
前記少なくとも１つのダウンリンクキャリアが、複数のダウンリンクグループのうちの１つ中に含まれ、前記アップリンクタイミング構成要素が、キャリアの前記アップリンクグループを前記複数のダウンリンクグループのうちの前記１つに関連付けることによって前記アップリンクタイミングを判断するように構成された、Ｃ２１に記載の装置。
［Ｃ２５］
前記アップリンクタイミング構成要素が、割り当てられたキャリアを含むダウンリンクグループのサブセットを識別することによって複数のアップリンクグループにそれぞれ関連する複数のアップリンクタイミングを判断するように構成され、前記複数のアップリンクグループが、前記割り当てられたキャリアを含むダウンリンクグループの前記サブセットにそれぞれ関連する、Ｃ２４に記載の装置。
［Ｃ２６］
キャリアの前記アップリンクグループのアップリンクグループサブセットにそれぞれ対応するアップリンクタイミング命令のセットで符号化された受信タイミングメッセージを処理するように構成されたメッセージ処理構成要素をさらに備える、Ｃ２４に記載の装置。
［Ｃ２７］
前記受信タイミングメッセージがタイミングアドバンスコマンドである、Ｃ２６に記載の装置。
［Ｃ２８］
前記受信タイミングメッセージが、前記アップリンクグループサブセットに関連するタイミング調整値で符号化されたベクトルを備える、Ｃ２６に記載の装置。
［Ｃ２９］
前記アップリンクグループサブセット内の各アップリンクグループが、割り当てられた無線リソースをもつ少なくとも１つのキャリアを含む、Ｃ２６に記載の装置。
［Ｃ３０］
キャリアの前記アップリンクグループがアップリンクグループのセットを備え、アップリンクグループの前記セット内の各アップリンクグループが、割り当てられた無線リソースをもつ少なくとも１つのキャリアを含み、前記アップリンクグループサブセットがアップリンクグループの前記セットのサブセットである、Ｃ２６に記載の装置。
［Ｃ３１］
前記アップリンクグループサブセットがネットワークエンティティによって判断される、Ｃ３０に記載の装置。
［Ｃ３２］
前記メッセージ処理構成要素が、前記アップリンクグループサブセットを与えるように前記ネットワークエンティティに要求する要求をサブミットするように構成され、前記アップリンクグループサブセットが、前記要求に応答して前記ネットワークエンティティによって判断される、Ｃ３１に記載の装置。
［Ｃ３３］
前記受信タイミングメッセージが、キャリアの前記アップリンクグループのうち、前記アップリンクグループサブセット中に含まれるキャリアの指示を含む、Ｃ３０に記載の装置。
［Ｃ３４］
前記メッセージ処理構成要素が、ネットワークと共有されるグループ識別情報のマッピングに従って前記指示を復号するように構成された、Ｃ３３に記載の装置。
［Ｃ３５］
グループ識別情報の前記マッピングが、前記アップリンクグループサブセットのうちの少なくとも１つのアップリンクグループ内のアップリンクキャリア上の専用無線リソースの割当てに関連して構成された、Ｃ３４に記載の装置。
［Ｃ３６］
メッセンジャーダウンリンクグループ中に含まれるタイミングメッセージキャリアを介して受信されたタイミングメッセージを復号するように構成されたメッセージ処理構成要素をさらに備え、前記タイミングメッセージが、ターゲットダウンリンクグループに対応する少なくとも１つのグループ間アップリンクタイミングで符号化され、前記ターゲットダウンリンクグループが前記メッセンジャーダウンリンクグループとは異なる、Ｃ２４に記載の装置。
［Ｃ３７］
前記タイミングメッセージが、前記ターゲットダウンリンクグループの指示を含む、Ｃ３６に記載の装置。
［Ｃ３８］
前記メッセージ処理構成要素が、ネットワークと共有されるグループ識別情報のマッピングに従って前記指示を復号するように構成された、Ｃ３７に記載の装置。
［Ｃ３９］
グループ識別情報の前記マッピングが、前記ターゲットダウンリンクグループ中に含まれるダウンリンクキャリア上の専用無線リソースの割当てに関連して構成された、Ｃ３８に記載の装置。
［Ｃ４０］
前記少なくとも１つのダウンリンクキャリアを含む特定のダウンリンクグループ内のダウンリンクキャリアのセットにそれぞれ対応する複数のダウンリンクタイミングから平均ダウンリンクタイミングを計算するように構成された平均化構成要素をさらに備え、前記アップリンクタイミング構成要素が、前記タイミングオフセットを前記平均ダウンリンクタイミングに適用することによって前記アップリンクタイミングを判断するように構成された、Ｃ２１に記載の装置。
［Ｃ４１］
前記特定のダウンリンクグループが、割り当てられた無線リソースに関連する少なくとも１つのキャリアを備える、Ｃ４０に記載の装置。
［Ｃ４２］
前記特定のダウンリンクグループが、ネットワークによって識別されるキャリアのセットを備える、Ｃ４０に記載の装置。
［Ｃ４３］
マルチキャリアシステムにおいてタイミング整合を可能にするコンピュータプログラム製品であって、
少なくとも１つのコンピュータに、
少なくとも１つのダウンリンクキャリアに関連する少なくとも１つのダウンリンクタイミングを判断することと、
キャリアのアップリンクグループに関連するアップリンクタイミングを確認することと、なお前記アップリンクタイミングは、少なくとも１つのダウンリンクタイミングと、キャリアの前記アップリンクグループに関連するタイミングオフセットとに基づいて確認され、
前記アップリンクタイミングのしきい値内でキャリアの前記アップリンクグループの各々を送信することと
を行わせるためのコードを備えるコンピュータ可読記憶媒体
を備えるコンピュータプログラム製品。
［Ｃ４４］
前記コードが、前記少なくとも１つのコンピュータに、キャリアの前記アップリンクグループを複数のダウンリンクグループのうちの１つに関連付けさせ、前記コードがさらに、前記少なくとも１つのコンピュータに、前記複数のダウンリンクグループのダウンリンクグループサブセットにそれぞれ対応するアップリンクタイミング命令のセットで符号化されたタイミングメッセージを受信させる、Ｃ４３に記載のコンピュータプログラム製品。
［Ｃ４５］
前記コードが、前記少なくとも１つのコンピュータに、メッセンジャーダウンリンクグループ中に含まれるタイミングメッセージキャリアを介して受信されたタイミングメッセージを復号させ、前記タイミングメッセージが前記メッセンジャーダウンリンクグループとは異なるターゲットダウンリンクグループに対応する少なくとも１つのグループ間アップリンクタイミングで符号化される、Ｃ４３に記載のコンピュータプログラム製品。
［Ｃ４６］
前記コードが、前記少なくとも１つのコンピュータに、前記少なくとも１つのダウンリンクキャリアを含む特定のダウンリンクグループ内のダウンリンクキャリアのセットにそれぞれ対応する複数のダウンリンクタイミングから平均ダウンリンクタイミングを計算させ、前記コードがさらに、前記少なくとも１つのコンピュータに、前記タイミングオフセットを前記平均ダウンリンクタイミングに適用することによって前記アップリンクタイミングを判断させる、Ｃ４３に記載のコンピュータプログラム製品。
［Ｃ４７］
前記コードが、前記少なくとも１つのコンピュータに、少なくとも１つのランダムアクセスキャリア上でランダムアクセス手順を実行させ、前記少なくとも１つのランダムアクセスキャリアが、前記少なくとも１つのダウンリンクキャリアを含むキャリアのダウンリンクグループ中に含まれる、Ｃ４３に記載のコンピュータプログラム製品。
［Ｃ４８］
マルチキャリアシステムにおいてタイミング整合を可能にするように構成された装置であって、
少なくとも１つのダウンリンクキャリアに関連する少なくとも１つのダウンリンクタイミングを判断するための手段と、
キャリアのアップリンクグループに関連するアップリンクタイミングを確認するための手段と、なお、前記アップリンクタイミングは、少なくとも１つのダウンリンクタイミングおよびキャリアの前記アップリンクグループに関連するタイミングオフセットに基づいて確認され、
前記アップリンクタイミングのしきい値内でキャリアの前記アップリンクグループの各々を送信するための手段と
を備える、装置。
［Ｃ４９］
確認するための前記手段が、キャリアの複数のアップリンクグループごとに異なるタイミングオフセットを利用するように構成された、Ｃ４８に記載の装置。
［Ｃ５０］
確認するための前記手段が、キャリアの複数のアップリンクグループごとに異なるダウンリンクタイミングを利用するように構成された、Ｃ４８に記載の装置。
［Ｃ５１］
前記少なくとも１つのダウンリンクキャリアが、複数のダウンリンクグループのうちの１つ中に含まれ、確認するための前記手段が、キャリアの前記アップリンクグループを前記複数のダウンリンクグループのうちの前記１つに関連付けるように構成された、Ｃ４８に記載の装置。
［Ｃ５２］
少なくとも１つのランダムアクセスキャリア上でランダムアクセス手順を実行するための手順をさらに備え、前記少なくとも１つのランダムアクセスキャリアが、前記少なくとも１つのダウンリンクキャリアを含むキャリアのダウンリンクグループ中に含まれる、Ｃ４８に記載の装置。
［Ｃ５３］
マルチキャリアシステムにおいてタイミング整合を可能にする方法であって、
少なくとも１つのダウンリンクキャリアを介してワイヤレス端末にダウンリンク通信を送信することと、
キャリアのアップリンクグループにタイミングオフセットを割り当てることと、
前記少なくとも１つのダウンリンクキャリアを介して前記ワイヤレス端末に前記タイミングオフセットを与えることと、
キャリアの前記アップリンクグループを介してアップリンク通信を受信することであって、キャリアの前記アップリンクグループが、前記タイミングオフセットに従って受信される、受信することと
を備える、方法。
［Ｃ５４］
前記割り当てることが、複数のアップリンクグループの各々に異なるタイミングオフセットを割り当てることを備える、Ｃ５３に記載の方法。
［Ｃ５５］
前記複数のアップリンクグループのアップリンクグループサブセットにそれぞれ対応するアップリンクタイミング命令のセットで符号化されたタイミングメッセージを生成することをさらに備え、前記送信することが、前記ワイヤレス端末に前記タイミングメッセージを送信することを備える、Ｃ５４に記載の方法。
［Ｃ５６］
前記タイミングメッセージがタイミングアドバンスコマンドである、Ｃ５５に記載の方法。
［Ｃ５７］
前記タイミングメッセージが、前記アップリンクグループサブセットに関連するタイミング調整値で符号化されたベクトルを備える、Ｃ５５に記載の方法。
［Ｃ５８］
前記アップリンクグループサブセット内の各アップリンクグループが、前記ワイヤレス端末に割り当てられた無線リソースをもつ少なくとも１つのキャリアを含む、Ｃ５５に記載の方法。
［Ｃ５９］
前記複数のアップリンクグループが、アップリンクグループの前記セット内の各アップリンクグループが前記ワイヤレス端末に割り当てられる無線リソースをもつ少なくとも１つのキャリアを含む、アップリンクグループのセットを備え、前記アップリンクグループサブセットがアップリンクグループの前記セットのサブセットである、Ｃ５５に記載の方法。
［Ｃ６０］
前記アップリンクグループサブセットを判断することをさらに備える、Ｃ５９に記載の方法。
［Ｃ６１］
前記アップリンクグループサブセットを与えるために前記ワイヤレス端末から要求を受信することをさらに備え、前記判断することが、前記要求に応答して実行される、Ｃ６０に記載の方法。
［Ｃ６２］
前記タイミングメッセージが、前記複数のアップリンクグループのうち、前記アップリンクグループサブセット中に含まれるアップリンクグループの指示で符号化される、Ｃ５９に記載の方法。
［Ｃ６３］
前記指示が、前記ワイヤレス端末と共有されるグループ識別情報のマッピングに従って符号化される、Ｃ６２に記載の方法。
［Ｃ６４］
グループ識別情報の前記マッピングが、前記アップリンクグループサブセットのうちの少なくとも１つのアップリンクグループ内のアップリンクキャリア上の専用無線リソースの割当てに関連して構成された、Ｃ６３に記載の方法。
［Ｃ６５］
ターゲットダウンリンクグループに対応する少なくとも１つのグループ間アップリンクタイミングで符号化されたタイミングメッセージを生成することをさらに備え、前記送信することが、メッセンジャーダウンリンクグループ中に含まれるタイミングメッセージキャリアを介して前記ワイヤレス端末に前記タイミングメッセージを送信することを備え、前記ターゲットダウンリンクグループが前記メッセンジャーダウンリンクグループとは異なる、Ｃ５４に記載の方法。
［Ｃ６６］
前記タイミングメッセージが、前記ターゲットダウンリンクグループの指示で符号化される、Ｃ６５に記載の方法。
［Ｃ６７］
前記指示が、前記ワイヤレス端末と共有されるグループ識別情報のマッピングに従って符号化される、Ｃ６６に記載の方法。
［Ｃ６８］
グループ識別情報の前記マッピングが、前記ターゲットダウンリンクグループ中に含まれるダウンリンクキャリア上の専用無線リソースの割当てに関連して構成された、Ｃ６７に記載の方法。
［Ｃ６９］
マルチキャリアシステムにおいてタイミング整合を可能にするように構成された装置であって、
メモリに記憶されたコンピュータ実行可能構成要素を実行するように構成されたプロセッサを備え、前記構成要素が、
キャリアのアップリンクグループにタイミングオフセットを割り当てるように構成されたタイミングオフセット構成要素と、
少なくとも１つのダウンリンクキャリアを介してワイヤレス端末に前記タイミングオフセットを与えるように構成された送信構成要素と、
キャリアの前記アップリンクグループを介してアップリンク通信を受信するように構成された受信構成要素であって、キャリアの前記アップリンクグループが、前記タイミングオフセットに従って受信される、受信構成要素と
を含む、装置。
［Ｃ７０］
前記送信構成要素が、共通サイトに位置するアンテナからキャリアのダウンリンクグループを送信するように構成された、Ｃ６９に記載の装置。
［Ｃ７１］
前記送信構成要素が、前記ワイヤレス端末によって実行される複数のダウンリンクタイミングの平均化を可能にするために、前記複数のダウンリンクタイミングにそれぞれ対応するキャリアのセットを識別するように構成された、Ｃ６９に記載の装置。
［Ｃ７２］
ランダムアクセス手順を可能にするためにランダムアクセスキャリアを識別するように構成されたランダムアクセス構成要素をさらに備え、前記ランダムアクセスキャリアが、前記ワイヤレス端末に割り当てられるキャリアである、Ｃ６９に記載の装置。
［Ｃ７３］
前記送信構成要素が、専用無線リソース構成の一部として前記ランダムアクセスキャリアを送信するように構成された、Ｃ７２に記載の装置。
［Ｃ７４］
前記ランダムアクセス構成要素が、前記ランダムアクセスキャリアの使用に関連する基準を確認するように構成され、前記基準は、前記ランダムアクセスキャリアの割当てとともに前記ワイヤレス端末に与えられる、Ｃ７２に記載の装置。
［Ｃ７５］
前記基準が、前記ランダムアクセスキャリアに関連する最小信号品質しきい値である、Ｃ７４に記載の装置。
［Ｃ７６］
前記ランダムアクセス構成要素は、前記基準が前記ランダムアクセスキャリアによって満たされていないことに応答して代替キャリア上で前記ワイヤレス端末によって前記ランダムアクセス手順を実行することを可能にするために、前記代替キャリアを識別するように構成された、Ｃ７４に記載の装置。
［Ｃ７７］
マルチキャリアシステムにおいてタイミング整合を可能にするコンピュータプログラム製品であって、
少なくとも１つのコンピュータに、
ワイヤレス端末に少なくとも１つのダウンリンクキャリアを送信することと、
キャリアのアップリンクグループにタイミングオフセットを割り当てることと、
前記少なくとも１つのダウンリンクキャリアを介して前記ワイヤレス端末に前記タイミングオフセットを与えることと、
キャリアの前記アップリンクグループを介してアップリンク通信を受信することであって、キャリアの前記アップリンクグループが、前記タイミングオフセットに従って受信される、受信することと
を行わせるためのコードを備えるコンピュータ可読記憶媒体
を備えるコンピュータプログラム製品。
［Ｃ７８］
前記コードが、前記少なくとも１つのコンピュータに、共通サイトに位置するアンテナからキャリアのダウンリンクグループを送信させる、Ｃ７７に記載のコンピュータプログラム製品。
［Ｃ７９］
前記コードが、前記少なくとも１つのコンピュータに、異なるタイミングオフセットを複数のアップリンクグループの各々に割り当てさせる、Ｃ７７に記載のコンピュータプログラム製品。
［Ｃ８０］
前記コードが、前記少なくとも１つのコンピュータに、前記複数のアップリンクグループのアップリンクグループサブセットにそれぞれ対応するアップリンクタイミング命令のセットで符号化されたタイミングメッセージを生成させ、前記コードがさらに、前記少なくとも１つのコンピュータに、前記ワイヤレス端末に前記タイミングメッセージを送信させる、Ｃ７９に記載のコンピュータプログラム製品。
［Ｃ８１］
前記コードが、前記少なくとも１つのコンピュータに、前記ワイヤレス端末によって実行される複数のダウンリンクタイミングの平均化を可能にするために、前記複数のダウンリンクタイミングにそれぞれ対応するキャリアのセットを識別させる、Ｃ７７に記載のコンピュータプログラム製品。
［Ｃ８２］
前記コードが、前記少なくとも１つのコンピュータに、ランダムアクセス手順を可能にするためにランダムアクセスキャリアを識別させ、前記ランダムアクセスキャリアが、前記ワイヤレス端末に割り当てられるキャリアである、Ｃ７７に記載のコンピュータプログラム製品。
［Ｃ８３］
マルチキャリアシステムにおいてタイミング整合を可能にするように構成された装置であって、
ワイヤレス端末に少なくとも１つのダウンリンクキャリアを送信するための手段と、
キャリアのアップリンクグループにタイミングオフセットを割り当てるための手段と、
前記少なくとも１つのダウンリンクキャリアを介して前記ワイヤレス端末に前記タイミングオフセットを与えるための手段と、
キャリアの前記アップリンクグループを介してアップリンク通信を受信するための手段であって、キャリアの前記アップリンクグループが、前記タイミングオフセットに従って受信される、受信するための手段と
を備える、装置。
［Ｃ８４］
送信するための前記手段が、共通サイトに位置するアンテナからキャリアのダウンリンクグループを送信するように構成された、Ｃ８３に記載の装置。
［Ｃ８５］
割り当てるための前記手段が、複数のアップリンクグループの各々に異なるタイミングオフセットを割り当てるように構成された、Ｃ８３に記載の装置。
［Ｃ８６］
ターゲットダウンリンクグループに対応する少なくとも１つのグループ間アップリンクタイミングで符号化されたタイミングメッセージを生成するための手順をさらに備え、送信するための前記手順は、メッセンジャーダウンリンクグループ中に含まれるタイミングメッセージキャリアを介して前記ワイヤレス端末に前記タイミングメッセージを送信するように構成され、前記ターゲットダウンリンクグループが前記メッセンジャーダウンリンクグループとは異なる、Ｃ８５に記載の装置。
［Ｃ８７］
送信するための前記手順が、前記ワイヤレス端末によって実行される複数のダウンリンクタイミングの平均化を可能にするために、前記複数のダウンリンクタイミングにそれぞれ対応するキャリアのセットを識別するように構成された、Ｃ８３に記載の装置。
［Ｃ８８］
送信するための前記手順が、ランダムアクセス手順を可能にするためにランダムアクセスキャリアを識別するように構成され、前記ランダムアクセスキャリアが、前記ワイヤレス端末に割り当てられるキャリアである、Ｃ８３に記載の装置。
【図１】
0005362911.tif 000002
【図２】
0005362911.tif 000003
【図３】
0005362911.tif 000004
【図４】
0005362911.tif 000005
【図５】
0005362911.tif 000006
【図６】
0005362911.tif 000007
【図７】
0005362911.tif 000008
【図８】
0005362911.tif 000009
【図９】
0005362911.tif 000010
【図１０】
0005362911.tif 000011
【図１１】
0005362911.tif 000012
【図１２】
0005362911.tif 000013
【図１３】
0005362911.tif 000014
【図１４】
0005362911.tif 000015